(57)【特許請求の範囲】
【請求項１】
物理ダウンリンク制御チャネル送信方法であって、
端末によって、第１の物理ダウンリンク制御チャネルを送信するためのパラメータセッ
トを取得するステップであって、前記第１の物理ダウンリンク制御チャネルは少なくとも
Ｒ個のサブフレームにおいて同じダウンリンク制御情報（ＤＣＩ）を送信するために用い
られ、Ｒは１より大きい整数である、ステップと、
前記端末によって前記パラメータセットにしたがって、基地局によって前記第１の物理
ダウンリンク制御チャネルを送信するためのＮ個の候補位置を判定するステップであって
、前記候補位置は前記Ｒ個のサブフレームを含み、Ｎは１より大きいまたは１に等しい整
数である、ステップと、
前記端末によって前記Ｎ個の候補位置において、前記基地局が前記第１の物理ダウンリ
ンク制御チャネルを送信するか否かを監視するステップと、
前記端末によって第１の候補位置において、前記基地局によって送信された前記第１の
物理ダウンリンク制御チャネルを受信するステップであって、前記Ｎ個の候補位置は前記
第１の候補位置を含む、ステップと
を含む物理ダウンリンク制御チャネル送信方法。
【請求項２】
前記パラメータセットは、前記第１の物理ダウンリンク制御チャネルを送信するために
占有される前記Ｒ個のサブフレームを示す情報、および、前記Ｒ個のサブフレームの各々
における以下のパラメータ：前記第１の物理ダウンリンク制御チャネルを構成する拡張制
御チャネルエレメント（ＥＣＣＥ）の量、前記ＥＣＣＥのインデックス、前記第１の物理
ダウンリンク制御チャネル上で送信されるビットのブロックをスクランブリングするため
のスクランブリングコードシーケンスを判定するために用いられる第１のパラメータ、前
記第１の物理ダウンリンク制御チャネルと関連付けられた復調参照信号を判定するために
用いられる第２のパラメータ、前記第１の物理ダウンリンク制御チャネルと関連付けられ
たアンテナポート番号、および前記第１の物理ダウンリンク制御チャネルの送信タイプ、
を含む請求項１に記載の送信方法。
【請求項３】
端末によって、前記Ｒ個のサブフレームの各々における前記第１の物理ダウンリンク制
御チャネルを構成するＥＣＣＥの量を取得するステップは、
前記端末によって、前記Ｒ個のサブフレームの第１のサブフレームにおける前記第１の
物理ダウンリンク制御チャネルを構成するＥＣＣＥの量でありかつ前記基地局によって送
信される前記量を受信することであって、前記第１のサブフレームは前記Ｒ個のサブフレ
ームのいずれか１つである、こと、および
前記端末によって、第１の予め設定されたルールおよび前記第１のサブフレームにおけ
る前記第１の物理ダウンリンク制御チャネルを構成するＥＣＣＥの前記量にしたがって、
前記Ｒ個のサブフレームの前記第１のサブフレームを除くＲ−１個の他のサブフレームの
各々における前記第１の物理ダウンリンク制御チャネルを構成するＥＣＣＥの量を判定す
ること、を含む請求項２に記載の送信方法。
【請求項４】
端末によって、前記第１の物理ダウンリンク制御チャネル上で送信されるビットのブロ
ックをスクランブリングするためのスクランブリングコードシーケンスを判定するために
用いられる第１のパラメータを取得するステップは、
前記第１の物理ダウンリンク制御チャネルが２つの拡張物理ダウンリンク制御チャネル
（ＥＰＤＣＣＨ）構成セットに含まれる物理リソースブロック（ＰＲＢ）にマッピングさ
れるとき、前記端末によって、前記第１のパラメータを、前記２つのＥＰＤＣＣＨ構成セ
ットにありかつそれぞれスクランブリングコードシーケンスを判定するために用いられる
パラメータにしたがって判定すること、を含む請求項２または３に記載の送信方法。
【請求項５】
端末によって、前記第１の物理ダウンリンク制御チャネルと関連付けられた復調参照信
号を判定するために用いられる第２のパラメータを取得するステップは、
前記第１の物理ダウンリンク制御チャネルが２つのＥＰＤＣＣＨ構成セットに含まれる
物理リソースブロック（ＰＲＢ）にマッピングされるとき、前記端末によって、前記第２
のパラメータを、前記２つのＥＰＤＣＣＨ構成セットにありかつそれぞれ復調参照信号を
判定するために用いられるパラメータにしたがって判定すること、を含む請求項２または
３に記載の送信方法。
【請求項６】
処理ユニットと前記処理ユニットに接続された送受信ユニットを備えた物理ダウンリン
ク制御チャネル送信装置であって、
前記処理ユニットは、第１の物理ダウンリンク制御チャネルを送信するためのパラメー
タセットを取得し、前記第１の物理ダウンリンク制御チャネルは少なくともＲ個のサブフ
レームにおいて同じダウンリンク制御情報（ＤＣＩ）を送信するために用いられ、Ｒは１
より大きい整数であり、前記パラメータセットにしたがって、基地局に
よって前記第１の物理ダウンリンク制御チャネルを送信するためのＮ個の候補位置を判定
し、前記候補位置は前記Ｒ個のサブフレームを含み、Ｎは１より大きいまたは１に等しい
整数であり、前記Ｎ個の候補位置において、前記送受信ユニットを用いて、前記基地局が
前記第１の物理ダウンリンク制御チャネルを送信するか否かを監視する、ように構成され
、および
前記送受信ユニットはさらに、第１の候補位置において、前記基地局によって送信され
た前記第１の物理ダウンリンク制御チャネルを受信し、前記Ｎ個の候補位置は前記第１の
候補位置を含む、ように構成される、物理ダウンリンク制御チャネル送信装置。
【請求項７】
前記パラメータセットは、前記第１の物理ダウンリンク制御チャネルを送信するために
占有される前記Ｒ個のサブフレームを示す情報、および、前記Ｒ個のサブフレームの各々
における以下のパラメータ：前記第１の物理ダウンリンク制御チャネルを構成する拡張制
御チャネルエレメント（ＥＣＣＥ）の量、前記ＥＣＣＥのインデックス、前記第１の物理
ダウンリンク制御チャネル上で送信されるビットのブロックをスクランブリングするため
のスクランブリングコードシーケンスを判定するために用いられる第１のパラメータ、前
記第１の物理ダウンリンク制御チャネルと関連付けられた復調参照信号を判定するために
用いられる第２のパラメータ、前記第１の物理ダウンリンク制御チャネルと関連付けられ
たアンテナポート番号、および前記第１の物理ダウンリンク制御チャネルの送信タイプ、
を含む請求項６に記載の装置。
【請求項８】
前記送受信ユニットはさらに、前記Ｒ個のサブフレームの第１のサブフレームにおける
前記第１の物理ダウンリンク制御チャネルを構成するＥＣＣＥの量でありかつ前記基地局
によって送信される前記量を受信し、前記第１のサブフレームは前記Ｒ個のサブフレーム
のいずれか１つである、ように構成され、および
前記処理ユニットはさらに、第１の予め設定されたルールおよび前記第１のサブフレー
ムにおける前記第１の物理ダウンリンク制御チャネルを構成するＥＣＣＥの前記量にした
がって、前記Ｒ個のサブフレームの前記第１のサブフレームを除くＲ−１個の他のサブフ
レームの各々における前記第１の物理ダウンリンク制御チャネルを構成するＥＣＣＥの量
を判定する、ように構成される請求項７に記載の装置。
【請求項９】
前記処理ユニットはさらに、前記第１の物理ダウンリンク制御チャネルが２つの拡張物
理ダウンリンク制御チャネル（ＥＰＤＣＣＨ）構成セットに含まれる物理リソースブロッ
ク（ＰＲＢ）にマッピングされるとき、前記第１のパラメータを、前記２つのＥＰＤＣＣ
Ｈ構成セットにありかつそれぞれスクランブリングコードシーケンスを判定するために用
いられるパラメータにしたがって判定する、ように構成される請求項７または８に記載の
装置。
【請求項１０】
前記処理ユニットはさらに、前記第１の物理ダウンリンク制御チャネルが２つのＥＰＤ
ＣＣＨ構成セットに含まれる物理リソースブロック（ＰＲＢ）にマッピングされるとき、
前記第２のパラメータを、前記２つのＥＰＤＣＣＨ構成セットにありかつそれぞれ復調参
照信号を判定するために用いられるパラメータにしたがって判定する、ように構成される
請求項７または８に記載の装置。
【請求項１１】
コンピュータによって実行されるとき、前記コンピュータに請求項１から５のいずれか
の方法のステップを実行させる命令を含む非一時的コンピュータ可読記憶媒体。
【発明の詳細な説明】
【技術分野】
【０００１】
本発明は通信分野に関し、特に物理ダウンリンク制御チャネル送信方法および装置に関する。
【背景技術】
【０００２】
ＬＴＥ（ロングタームエボリューション、Ｌｏｎｇ  Ｔｅｒｍ  Ｅｖｏｌｕｔｉｏｎ）システムにおいては、ＥＰＤＣＣＨ（拡張物理ダウンリンク制御チャネル、Ｅｎｈａｎｃｅｄ  Ｐｈｙｓｉｃａｌ  Ｄｏｗｎｌｉｎｋ  Ｃｏｎｔｒｏｌ  ＣＨａｎｎｅｌ）をＵＥ（ユーザ端末、Ｕｓｅｒ  Ｅｑｕｉｐｍｅｎｔ）に送信する前に、基地局は通常、１つまたは２つのＥＰＤＣＣＨ構成セットをＵＥに送信する必要がある。ＥＰＤＣＣＨ構成セットは、ＥＰＤＣＣＨの送信タイプやＥＰＤＣＣＨによって占有されるＰＲＢ（物理リソースブロック、Ｐｈｙｓｉｃａｌ  Ｒｅｓｏｕｒｃｅ  Ｂｌｏｃｋ）の量のような構成情報を含む。具体的には、ＥＰＤＣＣＨ構成セットにおける構成情報は、複数の候補ＥＰＤＣＣＨ、つまり、候補ＥＰＤＣＣＨセットを示すために用いられることがある。３ＧＰＰ  ＴＳ  ３６．２１３プロトコルにおける定義によれば、ＵＥが基地局によってサブフレームにおいて送信されるＥＰＤＣＣＨを候補位置上で正しく受信するまで、１つのサブフレーム（１ｍｓ）において、各ＵＥは複数の候補ＥＰＤＣＣＨを監視し候補ＥＰＤＣＣＨセットにおける各候補ＥＰＤＣＣＨの復号化を試みる必要がある。ＥＰＤＣＣＨは候補ＥＰＤＣＣＨセットにおける任意の候補ＥＰＤＣＣＨである。
【発明の概要】
【０００３】
しかしながら、地下に配置されているＵＥのような比較的低い通信パフォーマンスを有するＵＥは１つのサブフレームにおいて、基地局によって送信されるＥＰＤＣＣＨを正しく復号化および受信することに失敗するかもしれない。結果的に、ＵＥは、比較的長い時間、基地局と正常なインタラクションを行うことができないかもしれず、ＵＥと基地局との間の通信品質は低下する。
【０００４】
本発明の実施形態は、ＵＥによって物理ダウンリンク制御チャネルを受信する信号強度を強化し、ＵＥと基地局との間の通信品質を改善するために、物理ダウンリンク制御チャネル送信方法および装置を提供する。
【０００５】
前述の目的を達成するため、以下の技術的解決策は本発明の実施形態において用いられる。
【０００６】
第１の態様によれば、本発明の実施形態は、物理ダウンリンク制御チャネル送信方法であって、
ＵＥによって、第１の物理ダウンリンク制御チャネルを送信するためのパラメータセットを取得するステップであって、第１の物理ダウンリンク制御チャネルは少なくともＲ個のサブフレームにおいて同じダウンリンク制御情報ＤＣＩを送信するために用いられ、Ｒは１より大きいまたはこれに等しい整数である、ステップと、
ＵＥによってパラメータセットにしたがって、基地局によって第１の物理ダウンリンク制御チャネルを送信するためのＮ個の候補位置を判定するステップであって、候補位置はＲ個のサブフレームを含み、Ｎは１より大きいまたはこれに等しい整数である、ステップと、
ＵＥによってＮ個の候補位置において、基地局が第１の物理ダウンリンク制御チャネルを送信するか否かを監視するステップと、
ＵＥによって第１の候補位置において、基地局によって送信される第１の物理ダウンリンク制御チャネルを受信するステップであって、Ｎ個の候補位置は第１の候補位置を含む、ステップと、
を含む物理ダウンリンク制御チャネル送信方法を提供する。
【０００７】
第１の態様に関して、第１の態様の第１の可能な実装においては、パラメータセットは、第１の物理ダウンリンク制御チャネルを送信するために占有されるＲ個のサブフレームを示す情報、および、Ｒ個のサブフレームの各々における以下のパラメータ：第１の物理ダウンリンク制御チャネルを構成する拡張制御チャネルエレメントＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプを含む。
【０００８】
第１の態様の第１の可能な実装に関して、第１の態様の第２の可能な実装においては、Ｒ個のサブフレームに関する情報はＲ個のサブフレームの位置情報またはＲ個のサブフレームの開始サブフレームの位置情報である。
【０００９】
第１の態様の第２の可能な実装に関して、第１の態様の第３の可能な実装においては、複数の候補位置は同じ周波数領域リソース上のＲ個のサブフレームについて設定され、
ＵＥによって、第１の物理ダウンリンク制御チャネルを送信するために占有されるＲ個のサブフレームに関する情報を取得することは、
ＵＥによって、各候補位置における、Ｒ個のサブフレームの位置情報またはＲ個のサブフレームの開始サブフレームの位置情報を取得することを含み、ここで、
第１のオフセットはＭ番目の候補位置と（Ｍ−１）番目の候補位置との間に存在し、Ｍは１より大きい整数である。
【００１０】
第１の態様の第２の可能な実装に関して、第１の態様の第４の可能な実装においては、ＵＥによって、第１の物理ダウンリンク制御チャネルを送信するために占有されるＲ個のサブフレームに関する情報を取得することは、
ＵＥによって、第１の物理ダウンリンク制御チャネル上で運ばれるＤＣＩのフォーマットを判定すること、および
ＵＥによって、ＤＣＩのフォーマットにしたがって、Ｒ個のサブフレームの位置情報またはＲ個のサブフレームの開始サブフレームの位置情報を取得することを含む。
【００１１】
第１の態様の第１ないし第４の可能な実装のいずれか１つに関して、第１の態様の第５の可能な実装においては、パラメータセットはさらに第１の物理ダウンリンク制御チャネルを送信するために占有されるＰ個のサブフレームを示す情報を含み、ここでＰ個のサブフレームの開始サブフレームの位置はＲ個のサブフレームの開始サブフレームの位置と同じであり、Ｐ個のサブフレームにおける第１の物理ダウンリンク制御チャネル上で送信されるＤＣＩはＲ個のサブフレームにおいて送信されるＤＣＩと同じであり、Ｐは１より大きいまたはこれに等しい整数であり、ＰはＲと等しくない。
【００１２】
第１の態様の第１ないし第５の可能な実装のいずれか１つに関して、第１の態様の第６の可能な実装においては、ＵＥによって、Ｒ個のサブフレームの各々における第１の物理ダウンリンク制御チャネルを構成するＥＣＣＥの量を取得することは、
ＵＥによって、第１の物理ダウンリンク制御チャネルを送信するための送信セットを取得することであって、送信セットは第１の物理ダウンリンク制御チャネルを送信するために占有されるＰＲＢの量、ＤＣＩのフォーマット、サイクリックプレフィックスＣＰのタイプまたはフレーム構造タイプの１つまたは複数を含み、フレーム構造タイプは、第１のフレーム構造タイプまたは第２のフレーム構造タイプを含む、こと、および
ＵＥによって送信セットにしたがって、第１の物理ダウンリンク制御チャネルを構成するＥＣＣＥの量を判定することを含む。
【００１３】
第１の態様の第６の可能な実装に関して、第１の態様の第７の可能な実装においては、ＵＥによって送信セットにしたがって、第１の物理ダウンリンク制御チャネルを構成するＥＣＣＥの量を判定することは、
ＵＥによって送信セットにしたがって、Ｒ個のサブフレームの第１のサブフレームにおける第１の物理ダウンリンク制御チャネルを構成するＥＣＣＥの量を判定することであって、第１のサブフレームはＲ個のサブフレームのいずれか１つである、こと、および
ＵＥによって第１の予め設定されたルールおよび第１のサブフレームにおける第１の物理ダウンリンク制御チャネルを構成するＥＣＣＥの量にしたがって、Ｒ個のサブフレームの第１のサブフレームを除くＲ−１個の他のサブフレームの各々における第１の物理ダウンリンク制御チャネルを構成するＥＣＣＥの量を判定することを含む。
【００１４】
第１の態様の第１ないし第５の可能な実装のいずれか１つに関して、第１の態様の第８の可能な実装においては、ＵＥによって、Ｒ個のサブフレームの各々における第１の物理ダウンリンク制御チャネルを構成するＥＣＣＥの量を取得することは、
ＵＥによって、Ｒ個のサブフレームの第１のサブフレームにおける第１の物理ダウンリンク制御チャネルを構成するＥＣＣＥの量であり基地局によって送信される量を受信することであって、第１のサブフレームはＲ個のサブフレームのいずれか１つである、こと、および
ＵＥによって第１の予め設定されたルールおよび第１のサブフレームにおける第１の物理ダウンリンク制御チャネルを構成するＥＣＣＥの量にしたがって、Ｒ個のサブフレームの第１のサブフレームを除くＲ−１個の他のサブフレームの各々における第１の物理ダウンリンク制御チャネルを構成するＥＣＣＥの量を判定することを含む。
【００１５】
第１の態様の第７または第８の可能な実装に関して、第１の態様の第９の可能な実装においては、
第１のサブフレームにおける第１の物理ダウンリンク制御チャネルを構成するＥＣＣＥの量が１６または２４であり、Ｒ−１個の他のサブフレームが第１のタイプのスペシャルサブフレームを含む場合、第１のタイプのスペシャルサブフレームにおける第１の物理ダウンリンク制御チャネルを構成するＥＣＣＥの量は１２または１２未満であり、または、
第１のサブフレームが第１のタイプのスペシャルサブフレームであり、第１のサブフレームにおける第１の物理ダウンリンク制御チャネルを構成するＥＣＣＥの量が１２であり、Ｒ−１個の他のサブフレームがノーマルサブフレームを含む場合、ノーマルサブフレームにおける第１の物理ダウンリンク制御チャネルを構成するＥＣＣＥの量は１２、２４または１６であり、ここで、
第１のタイプのスペシャルサブフレームは第２のフレーム構造タイプにおけるスペシャルサブフレームの構成が１、２、６、７または９であるときの対応するスペシャルサブフレームである。
【００１６】
第１の態様の第６ないし第９の可能な実装のいずれか１つに関して、第１の態様の第１０の可能な実装においては、ＵＥによって、Ｒ個のサブフレームの各々における第１の物理ダウンリンク制御チャネルを構成するＥＣＣＥのインデックスを取得することは、
ＵＥによって、Ｒ個のサブフレームの第１のサブフレームにおけるＥＣＣＥのインデックスを、第１のサブフレームにおける第１の物理ダウンリンク制御チャネルを構成するＥＣＣＥの量、第１のサブフレームにおける第１の物理ダウンリンク制御チャネルを送信するための候補位置の量および第１のサブフレームに含まれるＥＣＣＥの量にしたがって判定すること、および
ＵＥによって、Ｒ個のサブフレームの第１のサブフレームを除くＲ−１個の他のサブフレームの各々におけるＥＣＣＥのインデックスを、第２の予め設定されたルールおよび第１のサブフレームにおけるＥＣＣＥのインデックスにしたがって判定することを含む。
【００１７】
第１の態様の第６ないし第９の可能な実装のいずれか１つに関して、第１の態様の第１１の可能な実装においては、ＵＥによって、Ｒ個のサブフレームの各々における第１の物理ダウンリンク制御チャネルを構成するＥＣＣＥのインデックスを取得することは、
ＵＥによって、Ｒ個のサブフレームの第１のサブフレームにおける第１の物理ダウンリンク制御チャネルを構成するＥＣＣＥのインデックスであって基地局によって送信されるインデックスを受信すること、および
ＵＥによって第２の予め設定されたルールおよび第１のサブフレームにおける第１の物理ダウンリンク制御チャネルを構成するＥＣＣＥのインデックスにしたがって、Ｒ個のサブフレームの第１のサブフレームを除くＲ−１個の他のサブフレームの各々における第１の物理ダウンリンク制御チャネルを構成するＥＣＣＥのインデックスを判定することを含む。
【００１８】
第１の態様の第１ないし第１１の可能な実装のいずれか１つに関して、第１の態様の第１２の可能な実装においては、ＵＥによって、第１の物理ダウンリンク制御チャネル上で送信されるビットのブロックをスクランブリングするためのスクランブリングコードシーケンスを判定するために用いられる第１のパラメータを取得することは、
第１の物理ダウンリンク制御チャネルが２つのＥＰＤＣＣＨ構成セットに含まれる物理リソースブロックＰＲＢにマッピングされるとき、ＵＥによって、第１のパラメータを、２つのＥＰＤＣＣＨ構成セットにありかつそれぞれスクランブリングコードシーケンスを判定するために用いられるパラメータにしたがって判定することを含む。
【００１９】
第１の態様の第１ないし第１１の可能な実装のいずれか１つに関して、第１の態様の第１３の可能な実装においては、ＵＥによって、第１の物理ダウンリンク制御チャネルに関連付けられた復調参照信号を判定するために用いられる第２のパラメータを取得することは、
第１の物理ダウンリンク制御チャネルが２つのＥＰＤＣＣＨ構成セットに含まれる物理リソースブロックＰＲＢにマッピングされるとき、ＵＥによって、第２のパラメータを、２つのＥＰＤＣＣＨ構成セットにありかつそれぞれ復調参照信号を判定するために用いられるパラメータにしたがって判定することを含む。
【００２０】
第１の態様の第１ないし第１３の可能な実装のいずれか１つに関して、第１の態様の第１４の可能な実装においては、ＵＥによって、Ｒ個のサブフレームの各々における第１の物理ダウンリンク制御チャネルに関連付けられたアンテナポート番号を取得することは、
第１の物理ダウンリンク制御チャネル上で運ばれるＤＣＩがセル固有メッセージをスケジューリングするために用いられ、ノーマルサイクリックプレフィックスがＬＴＥシステムにおいて構成されている場合、ＵＥによって、関連付けられたアンテナポート番号は｛１０７，１０８，１０９，１１０｝における数であると判定すること、
第１の物理ダウンリンク制御チャネル上で運ばれるＤＣＩがセル固有メッセージをスケジューリングするために用いられ、拡張サイクリックプレフィックスがＬＴＥシステムにおいて構成されている場合、ＵＥによって、関連付けられたアンテナポート番号は｛１０７，１０８｝における数であると判定すること、
第１の物理ダウンリンク制御チャネル上で運ばれるＤＣＩがＵＥ固有メッセージをスケジューリングするために用いられ、ノーマルサイクリックプレフィックスがＬＴＥシステムにおいて構成されている場合、Ｒ個のサブフレームがノーマルサブフレームおよび第１のタイプのスペシャルサブフレームを含むとき、ＵＥによって、関連付けられたアンテナポート番号は｛１０７，１０９｝における数であると判定すること、
第１の物理ダウンリンク制御チャネル上で運ばれるＤＣＩがＵＥ固有メッセージをスケジューリングするために用いられ、ノーマルサイクリックプレフィックスがＬＴＥシステムにおいて構成されている場合、Ｒ個のサブフレームが第１のタイプのスペシャルサブフレームを含まないとき、ＵＥによって、関連付けられたアンテナポート番号は｛１０７，１０８，１０９，１１０｝における数であると判定すること、または
第１の物理ダウンリンク制御チャネル上で運ばれるＤＣＩがＵＥ固有メッセージをスケジューリングするために用いられ、拡張サイクリックプレフィックスがＬＴＥシステムにおいて構成されている場合、ＵＥによって、関連付けられたアンテナポート番号は｛１０７，１０９｝における数であると判定することを含む。
【００２１】
第１の態様の第１４の可能な実装に関して、第１の態様の第１５の可能な実装においては、
第１の物理ダウンリンク制御チャネル上で運ばれるＤＣＩがＵＥ固有メッセージをスケジューリングするために用いられ、Ｒ個のサブフレームがノーマルサブフレームおよび第１のタイプのスペシャルサブフレームを含む場合、ノーマルサイクリックプレフィックスがＬＴＥシステムにおいて構成されているとき、ＵＥは、第１の物理ダウンリンク制御チャネルにおいて用いられている最も小さいＥＣＣＥインデックス、第１の物理ダウンリンク制御チャネルを構成するＥＣＣＥの量および第１のタイプのスペシャルサブフレームにおけるＰＲＢペアにおいて運ばれるＥＣＣＥの量にしたがって、関連付けられたアンテナポート番号を｛１０７，１０９｝において判定し、または、
第１の物理ダウンリンク制御チャネル上で運ばれるＤＣＩがＵＥ固有メッセージをスケジューリングするために用いられ、Ｒ個のサブフレームが第１のタイプのスペシャルサブフレームを含まない場合、ノーマルサイクリックプレフィックスがＬＴＥシステムにおいて構成されているとき、ＵＥは、第１の物理ダウンリンク制御チャネルにおいて用いられている最も小さいＥＣＣＥインデックス、第１の物理ダウンリンク制御チャネルによって占有されるＥＣＣＥの量およびノーマルサブフレームにおけるＰＲＢペアにおいて運ばれるＥＣＣＥの量にしたがって、関連付けられたアンテナポート番号を｛１０７，１０８，１０９，１１０｝において判定する。
【００２２】
第１の態様の第１ないし第１５の可能な実装のいずれか１つに関して、第１の態様の第１６の可能な実装においては、ＵＥによって、第１の物理ダウンリンク制御チャネルを送信するためのパラメータセットを取得することは、
ＵＥによって、基地局によって送信される構成情報を受信することを含み、ここで、
構成情報は第１の物理ダウンリンク制御チャネルを送信するために占有されるＲ個のサブフレームを示す情報を含み、または、構成情報は、第１の物理ダウンリンク制御チャネルを送信するために占有されるＲ個のサブフレームを示す情報、および、Ｒ個のサブフレームの少なくとも１つにおける以下のパラメータ：第１の物理ダウンリンク制御チャネルを構成するＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、関連付けられたアンテナポート番号または第１の物理ダウンリンク制御チャネルの送信タイプの少なくとも１つを含む。
【００２３】
第１の態様の第１ないし第１６の可能な実装のいずれか１つに関して、第１の態様の第１７の可能な実装においては、ＤＣＩのフォーマットは、第１のＤＣＩフォーマットおよび第２のＤＣＩフォーマットを含み、第１のＤＣＩフォーマットにおけるＤＣＩは物理ダウンリンク共有チャネルＰＤＳＣＨをスケジューリングするために用いられるスケジューリング情報を含み、第２のＤＣＩフォーマットにおけるＤＣＩはランダムアクセス応答ＲＡＲに関する情報の一部または全部を含み、
ＵＥによって第１の候補位置において、基地局により送信された第１の物理ダウンリンク制御チャネルを受信するステップの後で、方法はさらに、
ＵＥによって、ＤＣＩのフォーマットを、第１の物理ダウンリンク制御チャネル上で運ばれるＤＣＩにおける第１のビットに関する情報にしたがって判定し、または、
ＵＥによって、ＤＣＩのフォーマットを、ＣＲＣをスクランブリングするためのスクランブリングコードにしたがって判定し、ＣＲＣは第１の物理ダウンリンク制御チャネル上で運ばれるＤＣＩに添付されるＣＲＣであり、または、
ＵＥによって、ＤＣＩのフォーマットを、第１の物理ダウンリンク制御チャネルを送信するために占有されるサブフレームの量Ｒ、第１の物理ダウンリンク制御チャネルを構成するＥＣＣＥの量または第１の物理ダウンリンク制御チャネルを構成するＥＣＣＥのインデックスの少なくとも１つにしたがって判定することを含む。
【００２４】
第２の態様によれば、本発明の実施形態は、物理ダウンリンク制御チャネル送信方法であって、
基地局によって、第１の物理ダウンリンク制御チャネルを送信するためのパラメータセットを取得するステップであって、第１の物理ダウンリンク制御チャネルは少なくともＲ個のサブフレームにおいて同じダウンリンク制御情報ＤＣＩを送信するために用いられ、Ｒは１より大きいまたはこれに等しい整数である、ステップと、
基地局によってパラメータセットにしたがって、第１の物理ダウンリンク制御チャネルをＵＥに送信するためのＮ個の候補位置を判定するステップであって、候補位置はＲ個のサブフレームを含み、Ｎは１より大きいまたはこれに等しい整数である、ステップと、
基地局によって、Ｎ個の候補位置における第１の候補位置を第１の物理ダウンリンク制御チャネルをＵＥに送信するための位置として判定し、第１の物理ダウンリンク制御チャネルをＵＥに第１の候補位置において送信するステップと、
を含む物理ダウンリンク制御チャネル送信方法を提供する。
【００２５】
第２の態様に関して、第２の態様の第１の可能な実装においては、パラメータセットは、第１の物理ダウンリンク制御チャネルを送信するために占有されるＲ個のサブフレームを示す情報、および、Ｒ個のサブフレームの各々における以下のパラメータ：第１の物理ダウンリンク制御チャネルを構成する拡張制御チャネルエレメントＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプを含む。
【００２６】
第２の態様または第２の態様の第１の可能な実装に関して、第２の態様の第２の可能な実装においては、基地局によって、第１の物理ダウンリンク制御チャネルを送信するためのパラメータセットを取得した後で、方法はさらに、
基地局によって、構成情報をＵＥに送信することを含み、ここで、
構成情報は第１の物理ダウンリンク制御チャネルを送信するために占有されるＲ個のサブフレームを示す情報を含み、または構成情報は、第１の物理ダウンリンク制御チャネルを送信するために占有されるＲ個のサブフレームを示す情報、および、Ｒ個のサブフレームの少なくとも１つにおける以下のパラメータ：第１の物理ダウンリンク制御チャネルを構成するＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号または第１の物理ダウンリンク制御チャネルの送信タイプの少なくとも１つを含む。
【００２７】
第３の態様によれば、本発明の実施形態は、物理ダウンリンク制御チャネル送信装置であって、
第１の物理ダウンリンク制御チャネルを送信するためのパラメータセットを取得するように構成された、第１の取得部であって、第１の物理ダウンリンク制御チャネルは少なくともＲ個のサブフレームにおいて同じダウンリンク制御情報ＤＣＩを送信するために用いられ、Ｒは１より大きいまたはこれに等しい整数である、第１の取得部、
パラメータセットにしたがって、基地局によって第１の物理ダウンリンク制御チャネルを送信するためのＮ個の候補位置を判定するように構成された、第１の判定部であって、候補位置はＲ個のサブフレームを含み、Ｎは１より大きいまたはこれに等しい整数である、第１の判定部、
Ｎ個の候補位置において、基地局が第１の物理ダウンリンク制御チャネルを送信するか否かを監視するように構成された、監視部、および
第１の候補位置において、基地局によって送信された第１の物理ダウンリンク制御チャネルを受信するように構成された、受信部であって、Ｎ個の候補位置は第１の候補位置を含む、受信部を含み、ここで、
パラメータセットは第１の物理ダウンリンク制御チャネルを送信するために占有されるＲ個のサブフレームを示す情報、および、Ｒ個のサブフレームの各々における以下のパラメータ：第１の物理ダウンリンク制御チャネルを構成する拡張制御チャネルエレメントＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプを含む、物理ダウンリンク制御チャネル送信装置を提供する。
【００２８】
第３の態様に関して、第３の態様の第１の可能な実装においては、
第１の取得部は特に、各候補位置における、Ｒ個のサブフレームの位置情報またはＲ個のサブフレームの開始サブフレームの位置情報を取得するように構成され、ここで、
複数の候補位置は同じ周波数領域リソース上のＲ個のサブフレームについて設定され、第１のオフセットはＭ番目の候補位置と（Ｍ−１）番目の候補位置との間に存在し、Ｍは１より大きい整数である。
【００２９】
第３の態様に関して、第３の態様の第２の可能な実装においては、
第１の判定部はさらに、第１の物理ダウンリンク制御チャネル上で運ばれるＤＣＩのフォーマットを判定するように構成され、
第１の取得部は特に、ＤＣＩのフォーマットにしたがってＲ個のサブフレームの位置情報またはＲ個のサブフレームの開始サブフレームの位置情報を取得するように構成されている。
【００３０】
第３の態様のいずれか１つまたは第３の態様の第１および第２の可能な実装に関して、第３の態様の第３の可能な実装においては、
第１の取得部は特に、第１の物理ダウンリンク制御チャネルを送信するための送信セットを取得するように構成され、送信セットは第１の物理ダウンリンク制御チャネルを送信するために占有されるＰＲＢの量、ＤＣＩのフォーマット、サイクリックプレフィックスＣＰのタイプまたはフレーム構造タイプの１つまたは複数を含み、フレーム構造タイプは第１のフレーム構造タイプまたは第２のフレーム構造タイプを含み、
第１の判定部はさらに、送信セットにしたがって、第１の物理ダウンリンク制御チャネルを構成するＥＣＣＥの量を判定するように構成されている。
【００３１】
第３の態様の第３の可能な実装に関して、第３の態様の第４の可能な実装においては、
第１の判定部は特に、送信セットにしたがって、Ｒ個のサブフレームの第１のサブフレームにおける第１の物理ダウンリンク制御チャネルを構成するＥＣＣＥの量を判定し、第１のサブフレームはＲ個のサブフレームのいずれか１つであり、および第１の予め設定されたルールおよび第１のサブフレームにおける第１の物理ダウンリンク制御チャネルを構成するＥＣＣＥの量にしたがって、Ｒ個のサブフレームの第１のサブフレームを除くＲ−１個の他のサブフレームの各々における第１の物理ダウンリンク制御チャネルを構成するＥＣＣＥの量を判定するように構成されている。
【００３２】
第３の態様のいずれか１つまたは第３の態様の第１ないし第４の可能な実装に関して、第３の態様の第５の可能な実装においては、
第１の判定部はさらに、Ｒ個のサブフレームの第１のサブフレームにおけるＥＣＣＥのインデックスを、第１のサブフレームにおける第１の物理ダウンリンク制御チャネルを構成するＥＣＣＥの量、第１のサブフレームにおける第１の物理ダウンリンク制御チャネルを送信するための候補位置の量および第１のサブフレームに含まれるＥＣＣＥの量にしたがって判定し、およびＲ個のサブフレームの第１のサブフレームを除くＲ−１個の他のサブフレームの各々におけるＥＣＣＥのインデックスを、第２の予め設定されたルールおよび第１のサブフレームにおけるＥＣＣＥのインデックスにしたがって判定するように構成されている。
【００３３】
第３の態様のいずれか１つまたは第３の態様の第１ないし第５の可能な実装に関して、第３の態様の第６の可能な実装においては、
第１の判定部はさらに、第１の物理ダウンリンク制御チャネルが２つのＥＰＤＣＣＨ構成セットに含まれる物理リソースブロックＰＲＢにマッピングされるとき、第１のパラメータを、２つのＥＰＤＣＣＨ構成セットにおけるものでありそれぞれスクランブリングコードシーケンスを判定するために用いられるパラメータにしたがって判定するように構成されている。
【００３４】
第３の態様のいずれか１つまたは第３の態様の第１ないし第５の可能な実装に関して、第３の態様の第７の可能な実装においては、
第１の判定部はさらに、第１の物理ダウンリンク制御チャネルが２つのＥＰＤＣＣＨ構成セットに含まれる物理リソースブロックＰＲＢにマッピングされるとき、第２のパラメータを、２つのＥＰＤＣＣＨ構成セットにおけるものでありそれぞれ復調参照信号を判定するために用いられるパラメータにしたがって判定するように構成されている。
【００３５】
第３の態様のいずれか１つまたは第３の態様の第１ないし第７の可能な実装に関して、第３の態様の第８の可能な実装においては、
第１の判定部はさらに、第１の物理ダウンリンク制御チャネル上で運ばれるＤＣＩがセル固有メッセージをスケジューリングするために用いられ、ノーマルサイクリックプレフィックスがＬＴＥシステムにおいて構成されている場合、関連付けられたアンテナポート番号は｛１０７，１０８，１０９，１１０｝における数であると判定し、第１の物理ダウンリンク制御チャネル上で運ばれるＤＣＩがセル固有メッセージをスケジューリングするために用いられ、拡張サイクリックプレフィックスがＬＴＥシステムにおいて構成されている場合、関連付けられたアンテナポート番号は｛１０７，１０８｝における数であると判定し、第１の物理ダウンリンク制御チャネル上で運ばれるＤＣＩがＵＥ固有メッセージをスケジューリングするために用いられ、ノーマルサイクリックプレフィックスがＬＴＥシステムにおいて構成されている場合、Ｒ個のサブフレームがノーマルサブフレームおよび第１のタイプのスペシャルサブフレームを含むとき、関連付けられたアンテナポート番号は｛１０７，１０９｝における数であると判定し、第１の物理ダウンリンク制御チャネル上で運ばれるＤＣＩがＵＥ固有メッセージをスケジューリングするために用いられ、ノーマルサイクリックプレフィックスがＬＴＥシステムにおいて構成されている場合、Ｒ個のサブフレームが第１のタイプのスペシャルサブフレームを含まないとき、関連付けられたアンテナポート番号は｛１０７，１０８，１０９，１１０｝における数であると判定し、または、第１の物理ダウンリンク制御チャネル上で運ばれるＤＣＩがＵＥ固有メッセージをスケジューリングするために用いられ、拡張サイクリックプレフィックスがＬＴＥシステムにおいて構成されている場合、関連付けられたアンテナポート番号は｛１０７，１０９｝における数であると判定するように構成されている。
【００３６】
第３の態様のいずれか１つまたは第３の態様の第１ないし第８の可能な実装に関して、第３の態様の第９の可能な実装においては、
受信部はさらに、基地局によって送信される構成情報を受信するように構成され、ここで、
構成情報は、第１の物理ダウンリンク制御チャネルを送信するために占有されるＲ個のサブフレームを示す情報を含み、または、構成情報は、第１の物理ダウンリンク制御チャネルを送信するために占有されるＲ個のサブフレームを示す情報、および、Ｒ個のサブフレームの少なくとも１つにおける以下のパラメータ：第１の物理ダウンリンク制御チャネルを構成するＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、関連付けられたアンテナポート番号または第１の物理ダウンリンク制御チャネルの送信タイプの少なくとも１つを含む。
【００３７】
第３の態様のいずれか１つまたは第３の態様の第１ないし第９の可能な実装に関して、第３の態様第の１０の可能な実装においては、
第１の判定部はさらに、第１の物理ダウンリンク制御チャネル上で運ばれるＤＣＩにおける第１のビットに関する情報にしたがってＤＣＩのフォーマットを判定し、またはＣＲＣをスクランブリングするためのスクランブリングコードにしたがってＤＣＩのフォーマットを判定し、ＣＲＣは第１の物理ダウンリンク制御チャネル上で運ばれるＤＣＩに添付されるＣＲＣであり、または、ＤＣＩのフォーマットを、第１の物理ダウンリンク制御チャネルを送信するために占有されるサブフレームの量Ｒ、第１の物理ダウンリンク制御チャネルを構成するＥＣＣＥの量または第１の物理ダウンリンク制御チャネルを構成するＥＣＣＥのインデックスの少なくとも１つにしたがって判定するように構成され、ここで、
ＤＣＩのフォーマットは、第１のＤＣＩフォーマットおよび第２のＤＣＩフォーマットを含み、第１のＤＣＩフォーマットにおけるＤＣＩは、物理ダウンリンク共有チャネルＰＤＳＣＨをスケジューリングするために用いられるスケジューリング情報を含み、第２のＤＣＩフォーマットにおけるＤＣＩは、ランダムアクセス応答ＲＡＲに関する情報の一部または全部を含む。
【００３８】
第４の態様によれば、本発明の実施形態は、物理ダウンリンク制御チャネル送信装置であって、
第１の物理ダウンリンク制御チャネルを送信するためのパラメータセットを取得するように構成された、第２の取得部であって、第１の物理ダウンリンク制御チャネルは少なくともＲ個のサブフレームにおいて同じダウンリンク制御情報ＤＣＩを送信するために用いられ、Ｒは１より大きいまたはこれに等しい整数である、第２の取得部、
パラメータセットにしたがって、第１の物理ダウンリンク制御チャネルをＵＥに送信するためのＮ個の候補位置を判定し、候補位置はＲ個のサブフレームを含み、Ｎは１より大きいまたはこれに等しい整数であり、およびＮ個の候補位置における第１の候補位置を第１の物理ダウンリンク制御チャネルをＵＥに送信するための位置として判定するように構成された、第２の判定部、および
第１の物理ダウンリンク制御チャネルをＵＥに第１の候補位置において送信するように構成された、送信部を含み、ここで、
パラメータセットは、第１の物理ダウンリンク制御チャネルを送信するために占有されるＲ個のサブフレームを示す情報、および、Ｒ個のサブフレームの各々における以下のパラメータ：第１の物理ダウンリンク制御チャネルを構成する拡張制御チャネルエレメントＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプを含む、物理ダウンリンク制御チャネル送信装置を提供する。
【００３９】
第４の態様に関して、第４の態様の第１の可能な実装においては、
送信部はさらに、構成情報をＵＥに送信するように構成され、ここで、
構成情報は第１の物理ダウンリンク制御チャネルを送信するために占有されるＲ個のサブフレームを示す情報を含み、または構成情報は第１の物理ダウンリンク制御チャネルを送信するために占有されるＲ個のサブフレームを示す情報、および、Ｒ個のサブフレームの少なくとも１つにおける以下のパラメータ：第１の物理ダウンリンク制御チャネルを構成するＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号または第１の物理ダウンリンク制御チャネルの送信タイプの少なくとも１つを含む。
【００４０】
第５の態様によれば、本発明の実施形態は、第１のプロセッサおよび第１のプロセッサに接続された第１の送受信機を含む、物理ダウンリンク制御チャネル送信装置を提供し、ここで、
第１のプロセッサは第１の物理ダウンリンク制御チャネルを送信するためのパラメータセットを取得し、ここで、第１の物理ダウンリンク制御チャネルは少なくともＲ個のサブフレームにおいて同じダウンリンク制御情報ＤＣＩを送信するために用いられ、Ｒは１より大きいまたはこれに等しい整数であり、パラメータセットにしたがって、基地局によって第１の物理ダウンリンク制御チャネルを送信するためのＮ個の候補位置を判定し、ここで、候補位置はＲ個のサブフレームを含み、Ｎは１より大きいまたはこれに等しい整数である、およびＮ個の候補位置において、第１の送受信機を用いることにより、基地局が第１の物理ダウンリンク制御チャネルを送信するか否かを監視するように構成され、
第１の送受信機はさらに、第１の候補位置において、基地局によって送信される第１の物理ダウンリンク制御チャネルを受信するように構成され、Ｎ個の候補位置は第１の候補位置を含み、ここで、
パラメータセットは、第１の物理ダウンリンク制御チャネルを送信するために占有されるＲ個のサブフレームを示す情報、および、Ｒ個のサブフレームの各々における以下のパラメータ：第１の物理ダウンリンク制御チャネルを構成する拡張制御チャネルエレメントＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプを含む。
【００４１】
第５の態様に関して、第５の態様の第１の可能な実装においては、第１のプロセッサによって取得されるＲ個のサブフレームに関する情報は特に、Ｒ個のサブフレームの位置情報またはＲ個のサブフレームの開始サブフレームの位置情報であってもよい。
【００４２】
第５の態様の第１の可能な実装に関して、第５の態様の第２の可能な実装においては、複数の候補位置は同じ周波数領域リソース上のＲ個のサブフレームについて設定され、この場合、第１のプロセッサが第１の物理ダウンリンク制御チャネルを送信するために占有されるＲ個のサブフレームに関する情報を取得するということは特に以下のステップ：第１のプロセッサは基地局から第１の送受信機を用いることにより、各候補位置における、Ｒ個のサブフレームの位置情報またはＲ個のサブフレームの開始サブフレームの位置情報を取得してもよい、ここで、第１のオフセットはＭ番目の候補位置と（Ｍ−１）番目の候補位置との間に存在し、Ｍは１より大きい整数である、を含む。
【００４３】
第５の態様の第１の可能な実装に関して、第５の態様の第３の可能な実装においては、第１のプロセッサは第１の物理ダウンリンク制御チャネルを送信するために占有されるＲ個のサブフレームに関する情報を取得するということは特に以下のステップ：第１のプロセッサは第１の物理ダウンリンク制御チャネル上で運ばれるＤＣＩのフォーマットを判定し、第１のプロセッサはＲ個のサブフレームの位置情報またはＲ個のサブフレームの開始サブフレームの位置情報をＤＣＩのフォーマットに従って取得することを含む。
【００４４】
第５の態様の第１ないし第３の可能な実装のいずれか１つに関して、第５の態様の第４の可能な実装においては、第１のプロセッサによって取得されるパラメータセットはさらに、第１の物理ダウンリンク制御チャネルを送信するために占有されるＰ個のサブフレームを示す情報を含んでもよく、ここで、Ｐ個のサブフレームの開始サブフレームの位置はＲ個のサブフレームの開始サブフレームの位置と同じであり、Ｐ個のサブフレームにおける第１の物理ダウンリンク制御チャネル上で送信されるＤＣＩはＲ個のサブフレームにおいて送信されるＤＣＩと同じであり、Ｐは１より大きいまたはこれに等しい整数であり、ＰはＲと等しくない。
【００４５】
第５の態様の第１ないし第４の可能な実装のいずれか１つに関して、第５の態様の第５の可能な実装においては、第１のプロセッサはＲ個のサブフレームの各々における第１の物理ダウンリンク制御チャネルを構成するＥＣＣＥの量を取得するということは特に以下のステップ：第１のプロセッサは、第１の物理ダウンリンク制御チャネルを送信するための送信セットを取得する、ここで、送信セットは第１の物理ダウンリンク制御チャネルを送信するために占有されるＰＲＢの量、ＤＣＩのフォーマット、サイクリックプレフィックスＣＰのタイプまたはフレーム構造タイプの１つまたは複数を含み、フレーム構造タイプは第１のフレーム構造タイプまたは第２のフレーム構造タイプを含む、および第１のプロセッサは、送信セットにしたがって、第１の物理ダウンリンク制御チャネルを構成するＥＣＣＥの量を判定することを含む。
【００４６】
第５の態様の第５の可能な実装に関して、第５の態様の第６の可能な実装においては、第１のプロセッサは送信セットにしたがって、第１の物理ダウンリンク制御チャネルを構成するＥＣＣＥの量を判定するということは特に以下のステップ、第１のプロセッサは、送信セットにしたがって、Ｒ個のサブフレームの第１のサブフレームにおける第１の物理ダウンリンク制御チャネルを構成するＥＣＣＥの量を判定する、ここで、第１のサブフレームはＲ個のサブフレームのいずれか１つである、および第１のプロセッサは、第１の予め設定されたルールおよび第１のサブフレームにおける第１の物理ダウンリンク制御チャネルを構成するＥＣＣＥの量にしたがって、Ｒ個のサブフレームの第１のサブフレームを除くＲ−１個の他のサブフレームの各々における第１の物理ダウンリンク制御チャネルを構成するＥＣＣＥの量を判定することを含む。
【００４７】
第５の態様の第５の可能な実装に関して、第５の態様の第７の可能な実装においては、第１のプロセッサはさらに、第１の送受信機を用いることにより、Ｒ個のサブフレームの第１のサブフレームにおける第１の物理ダウンリンク制御チャネルを構成するＥＣＣＥのものであり基地局によって送信される量を受信してもよい、ここで、第１のサブフレームはＲ個のサブフレームのいずれか１つである、第１のプロセッサは、第１の予め設定されたルールおよび第１のサブフレームにおける第１の物理ダウンリンク制御チャネルを構成するＥＣＣＥの量にしたがって、Ｒ個のサブフレームの第１のサブフレームを除くＲ−１個の他のサブフレームの各々における第１の物理ダウンリンク制御チャネルを構成するＥＣＣＥの量を判定する。
【００４８】
第５の態様の第１ないし第７の可能な実装のいずれか１つに関して、第５の態様の第８の可能な実装においては、第１のプロセッサはＲ個のサブフレームの各々における第１の物理ダウンリンク制御チャネルを構成するＥＣＣＥのインデックスを取得するということは特に以下のステップ：第１のプロセッサは、Ｒ個のサブフレームの第１のサブフレームにおけるＥＣＣＥのインデックスを第１のサブフレームにおける第１の物理ダウンリンク制御チャネルを構成するＥＣＣＥの量、第１のサブフレームにおける第１の物理ダウンリンク制御チャネルを送信するための候補位置の量、および第１のサブフレームに含まれるＥＣＣＥの量にしたがって判定すること、および第１のプロセッサは、Ｒ個のサブフレームの第１のサブフレームを除くＲ−１個の他のサブフレームの各々におけるＥＣＣＥのインデックスを、第２の予め設定されたルールおよび第１のサブフレームにおけるＥＣＣＥのインデックスにしたがって判定することを含む。
【００４９】
第５の態様の第１ないし第７の可能な実装のいずれか１つに関して、第５の態様の第９の可能な実装においては、第１のプロセッサはさらに第１の送受信機を用いることにより、Ｒ個のサブフレームの第１のサブフレームにおける第１の物理ダウンリンク制御チャネルを構成するＥＣＣＥのものであり基地局によって送信されるインデックスを受信してもよく、および第１のプロセッサは第２の予め設定されたルールおよび第１のサブフレームにおける第１の物理ダウンリンク制御チャネルを構成するＥＣＣＥのインデックスにしたがって、Ｒ個のサブフレームの第１のサブフレームを除くＲ−１個の他のサブフレームの各々における第１の物理ダウンリンク制御チャネルを構成するＥＣＣＥのインデックスを判定する。
【００５０】
第５の態様の第１ないし第９の可能な実装のいずれか１つに関して、第５の態様の第１０の可能な実装においては、第１のプロセッサが第１の物理ダウンリンク制御チャネル上で送信されるビットのブロックをスクランブリングするためのスクランブリングコードシーケンスを判定するために用いられる第１のパラメータを取得するとき、以下のステップ：第１の物理ダウンリンク制御チャネルが２つのＥＰＤＣＣＨ構成セットに含まれる物理リソースブロックＰＲＢにマッピングされるとき、第１のプロセッサは第１のパラメータを、２つのＥＰＤＣＣＨ構成セットにおけるものでありそれぞれスクランブリングコードシーケンスを判定するために用いられるパラメータにしたがって判定すること、が特に含まれる。
【００５１】
第５の態様の第１ないし第９の可能な実装のいずれか１つに関して、第５の態様の第１１の可能な実装においては、第１のプロセッサが第１の物理ダウンリンク制御チャネルに関連付けられた復調参照信号を判定するために用いられる第２のパラメータを取得するとき、以下のステップが特に含まれる、第１の物理ダウンリンク制御チャネルが２つのＥＰＤＣＣＨ構成セットに含まれる物理リソースブロックＰＲＢにマッピングされるとき、第１のプロセッサは第２のパラメータを２つのＥＰＤＣＣＨ構成セットにおけるものでありそれぞれ復調参照信号を判定するために用いられるパラメータにしたがって判定する。
【００５２】
第５の態様の第１ないし第１１の可能な実装のいずれか１つに関して、第５の態様の第１２の可能な実装においては、第１のプロセッサがＲ個のサブフレームの各々における第１の物理ダウンリンク制御チャネルに関連付けられたアンテナポート番号を取得するとき、以下のステップが特に含まれてもよい。
第１の物理ダウンリンク制御チャネル上で運ばれるＤＣＩがセル固有メッセージをスケジューリングするために用いられ、ノーマルサイクリックプレフィックスがＬＴＥシステムにおいて構成されている場合、第１のプロセッサは関連付けられたアンテナポート番号は｛１０７，１０８，１０９，１１０｝における数であると判定すること、
第１の物理ダウンリンク制御チャネル上で運ばれるＤＣＩがセル固有メッセージをスケジューリングするために用いられ、拡張サイクリックプレフィックスがＬＴＥシステムにおいて構成されている場合、第１のプロセッサは関連付けられたアンテナポート番号は｛１０７，１０８｝における数であると判定すること、
第１の物理ダウンリンク制御チャネル上で運ばれるＤＣＩがＵＥ固有メッセージをスケジューリングするために用いられ、ノーマルサイクリックプレフィックスがＬＴＥシステムにおいて構成されている場合、Ｒ個のサブフレームがノーマルサブフレームおよび第１のタイプのスペシャルサブフレームを含むとき、第１のプロセッサは関連付けられたアンテナポート番号は｛１０７，１０９｝における数であると判定すること、
第１の物理ダウンリンク制御チャネル上で運ばれるＤＣＩがＵＥ固有メッセージをスケジューリングするために用いられ、ノーマルサイクリックプレフィックスがＬＴＥシステムにおいて構成されている場合、Ｒ個のサブフレームが第１のタイプのスペシャルサブフレームを含まないとき、第１のプロセッサは関連付けられたアンテナポート番号は｛１０７，１０８，１０９，１１０｝における数であると判定すること、または、
第１の物理ダウンリンク制御チャネル上で運ばれるＤＣＩがＵＥ固有メッセージをスケジューリングするために用いられ、拡張サイクリックプレフィックスがＬＴＥシステムにおいて構成されている場合、第１のプロセッサは関連付けられたアンテナポート番号は｛１０７，１０９｝における数であると判定するステップ。
【００５３】
第５の態様の第１ないし第１２の可能な実装のいずれか１つに関して、第５の態様の第１３の可能な実装においては、第１の物理ダウンリンク制御チャネルを送信するためのパラメータセットを取得するときに、第１のプロセッサは、第１の送受信機を用いることにより、基地局によって送信される構成情報を受信してもよく、ここで、
構成情報は第１の物理ダウンリンク制御チャネルを送信するために占有されるＲ個のサブフレームを示す情報を含み、または、構成情報は、第１の物理ダウンリンク制御チャネルを送信するために占有されるＲ個のサブフレームを示す情報、および、Ｒ個のサブフレームの少なくとも１つにおける以下のパラメータ：第１の物理ダウンリンク制御チャネルを構成するＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、関連付けられたアンテナポート番号または第１の物理ダウンリンク制御チャネルの送信タイプの少なくとも１つを含む。
【００５４】
第５の態様の第１ないし第１３の可能な実装のいずれか１つに関して、第５の態様の第１４の可能な実装においては、ＤＣＩのフォーマットは第１のＤＣＩフォーマットおよび第２のＤＣＩフォーマットを含み、第１のＤＣＩフォーマットにおけるＤＣＩは物理ダウンリンク共有チャネルＰＤＳＣＨをスケジューリングするために用いられるスケジューリング情報を含み、第２のＤＣＩフォーマットにおけるＤＣＩはランダムアクセス応答ＲＡＲに関する情報の一部または全部を含み、
第１の送受信機が第１の候補位置において、基地局によって送信される第１の物理ダウンリンク制御チャネルを受信した後で、以下のステップがさらに含まれてもよい、第１のプロセッサはＤＣＩのフォーマットを第１の物理ダウンリンク制御チャネル上で運ばれるＤＣＩにおける第１のビットに関する情報にしたがって判定し、または第１のプロセッサはＤＣＩのフォーマットを、ＣＲＣをスクランブリングするためのスクランブリングコードにしたがって判定し、ここでＣＲＣは第１の物理ダウンリンク制御チャネル上で運ばれるＤＣＩに添付されるＣＲＣである、または第１のプロセッサはＤＣＩのフォーマットを、第１の物理ダウンリンク制御チャネルを送信するために占有されるサブフレームの量Ｒ、第１の物理ダウンリンク制御チャネルを構成するＥＣＣＥの量または第１の物理ダウンリンク制御チャネルを構成するＥＣＣＥのインデックスの少なくとも１つにしたがって判定する。
【００５５】
第６の態様によれば、本発明の実施形態は第２のプロセッサおよび第２のプロセッサに接続された第２の送受信機を含む、物理ダウンリンク制御チャネル送信装置を提供し、ここで、
第２のプロセッサは、第１の物理ダウンリンク制御チャネルを送信するためのパラメータセットを取得し、第１の物理ダウンリンク制御チャネルは少なくともＲ個のサブフレームにおいて同じダウンリンク制御情報ＤＣＩを送信するために用いられ、Ｒは１より大きいまたはこれに等しい整数であり、パラメータセットにしたがって、第１の物理ダウンリンク制御チャネルをＵＥに送信するためのＮ個の候補位置を判定し、候補位置はＲ個のサブフレームを含み、Ｎは１より大きいまたはこれに等しい整数であり、およびＮ個の候補位置における第１の候補位置を第１の物理ダウンリンク制御チャネルをＵＥに送信するための位置として判定するように構成され、
第２の送受信機は、第１の物理ダウンリンク制御チャネルをＵＥに第１の候補位置において送信するように構成され、ここで、
パラメータセットは、第１の物理ダウンリンク制御チャネルを送信するために占有されるＲ個のサブフレームを示す情報、および、Ｒ個のサブフレームの各々における以下のパラメータ：第１の物理ダウンリンク制御チャネルを構成する拡張制御チャネルエレメントＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプを含む。
【００５６】
本発明の実施形態において提供されるダウンリンク制御チャネル送信方法および装置によれば、ＵＥは第１の物理ダウンリンク制御チャネルを送信するためのパラメータセットを取得し、パラメータセットにしたがって、基地局によって第１の物理ダウンリンク制御チャネルを送信するためのＮ個の候補位置を判定する。各候補位置は、Ｒ個のサブフレームを含み、同じＤＣＩがＲ個のサブフレームに含まれている。つまり、本発明のこの実施形態において提供される物理ダウンリンク制御チャネル送信方法によれば、第１の物理ダウンリンク制御チャネルは、Ｒ個のサブフレームにおいて送信されてもよい。したがって、１つのサブフレーム（１ｍｓ）において、ＵＥが複数の候補ＥＰＤＣＣＨを監視し、構成情報にしたがって候補ＥＰＤＣＣＨセットにおける各候補ＥＰＤＣＣＨを復号化することを試みる必要がある従来技術と比較して、ＵＥはＲ個のサブフレームの各々における第１の物理ダウンリンク制御チャネルを受信してもよく、その結果ＵＥによって第１の物理ダウンリンク制御チャネルを受信する信号強度は強化される。
【図面の簡単な説明】
【００５７】
本発明の実施形態におけるまたは従来技術における技術的解決策をより一層明確に説明するため、以下、実施形態または従来技術を説明するために必要とされる添付図面を簡単に説明する。
【００５８】
【図１】図１は、本発明の実施形態に係る物理ダウンリンク制御チャネル送信方法の概略的流れ図１である。
【図２】図２は、本発明の実施形態に係る物理ダウンリンク制御チャネル送信方法の概略的流れ図２である。
【図３】図３は、本発明の実施形態に係る物理ダウンリンク制御チャネル送信方法の概略的流れ図３である。
【図４】図４は、時間‐周波数リソース上にある、本発明の実施形態に係る物理ダウンリンク制御チャネルのためのＲ個のサブフレームの位置の模式図１である。
【図５】図５は、時間‐周波数リソース上にある、本発明の実施形態に係る物理ダウンリンク制御チャネルのためのＲ個のサブフレームの位置の模式図２である。
【図６】図６は、時間‐周波数リソース上にある、本発明の実施形態に係る物理ダウンリンク制御チャネルのためのＲ個のサブフレームの位置の模式図３である。
【図７】図７は、時間‐周波数リソース上にある、本発明の実施形態に係る物理ダウンリンク制御チャネルのためのＲ個のサブフレームおよびＰ個のサブフレームの位置の模式図である。
【図８】図８は、本発明の実施形態に係る物理ダウンリンク制御チャネル送信装置の概略的構造図１である。
【図９】図９は、本発明の実施形態に係る物理ダウンリンク制御チャネル送信装置の概略的構造図２である。
【図１０】図１０は、本発明の実施形態に係るＵＥのエンティティの概略的構造図である。
【図１１】図１１は、本発明の実施形態に係る基地局のエンティティの概略的構造図である。
【発明を実施するための形態】
【００５９】
以下は、本発明の実施形態における技術的解決策を、本発明の実施形態における添付図面を参照して、明確かつ完全に説明する。明らかに、記載された実施形態は単に本発明の実施形態の幾つかにすぎずすべてではない。
【００６０】
加えて、用語「第１の」および「第２の」は単に説明という目的のために意図されており、示された技術的特徴の相対的重要性の表示もしくは含意または量の暗示的な表示として理解されるべきものではない。したがって、「第１の」または「第２の」で限定された特徴は、１つまたは複数の特徴を明示的または黙示的に含むことがある。本発明の説明において、「複数の」は特記のないかぎり少なくとも２つを示す。
【００６１】
本明細書における用語「および／または」は、関連する客体を記述するための関連関係のみを記述し、３つの関係が存在することがあることを表す。例えば、Ａおよび／またはＢは以下の３つの場合を表すことがある、すなわち、Ａのみが存在する、ＡおよびＢがともに存在する、およびＢのみが存在する。加えて、本明細書における文字「／」は一般的に関連する客体の間の「または」関係を示す。
【００６２】
加えて、本発明の実施形態におけるＵＥ固有メッセージは、ＰＤＳＣＨ（物理ダウンリンク共有チャネル、Ｐｈｙｓｉｃａｌ  Ｄｏｗｎｌｉｎｋ  Ｓｈａｒｅｄ  ＣＨａｎｎｅｌ）またはＰＵＳＣＨ（物理アップリンクチャネル、Ｐｈｙｓｉｃａｌ  Ｕｐｌｉｎｋ  Ｓｈａｒｅｄ  ＣＨａｎｎｅｌ）上で運ばれるデータである。データは、ＵＥ固有ＲＮＴＩ（無線ネットワーク一時識別子、Ｒａｄｉｏ  Ｎｅｔｗｏｒｋ  Ｔｅｍｐｏｒａｒｙ  Ｉｄｅｎｔｉｆｉｅｒ）を用いることによりスクランブリングされたＣＲＣ（巡回冗長検査、Ｃｙｃｌｉｃ  Ｒｅｄｕｎｄａｎｃｙ  Ｃｈｅｃｋ）ビットおよびＵＥのＴＢ（トランスポートブロック、Ｔｒａｎｓｐｏｒｔ  Ｂｌｏｃｋ）を運ぶ。
【００６３】
本発明の実施形態におけるセル固有メッセージは、ＰＤＳＣＨ上で運ばれるデータである。データは具体的にはＳＩＢ（システム情報ブロック、Ｓｙｓｔｅｍ  Ｉｎｆｏｒｍａｔｉｏｎ  Ｂｌｏｃｋ）、ＲＡＲ（ランダムアクセス応答、Ｒａｎｄｏｍ  Ａｃｃｅｓｓ  Ｒｅｓｐｏｎｓｅ）、ページング（Ｐａｇｉｎｇ）メッセージ等を含む。
【００６４】
＜実施形態１＞
本発明の実施形態は、物理ダウンリンク制御チャネル送信方法を提供する。図１に示すように、方法は、以下を含む。
【００６５】
１０１．ＵＥは第１の物理ダウンリンク制御チャネルを送信するためのパラメータセットを取得し、第１の物理ダウンリンク制御チャネルは少なくともＲ個のサブフレームにおいて同じＤＣＩ（ダウンリンク制御情報、Ｄｏｗｎｌｉｎｋ  Ｃｏｎｔｒｏｌ  Ｉｎｆｏｒｍａｔｉｏｎ）を送信するために用いられ、Ｒは１より大きいまたはこれに等しい整数である。
【００６６】
１０２．ＵＥはパラメータセットにしたがって、基地局によって第１の物理ダウンリンク制御チャネルを送信するためのＮ個の候補位置を判定し、候補位置はＲ個のサブフレームを含み、Ｎは１より大きいまたはこれに等しい整数である。
【００６７】
１０３．ＵＥはＮ個の候補位置において、基地局が第１の物理ダウンリンク制御チャネルを送信するか否かを監視すること。
【００６８】
１０４．ＵＥは第１の候補位置において、基地局によって送信される第１の物理ダウンリンク制御チャネルを受信し、Ｎ個の候補位置は第１の候補位置を含む。
【００６９】
本発明のこの実施形態においては、基地局によって送信される第１の物理ダウンリンク制御チャネルをＵＥによって受信するパフォーマンスを改善するために、同じＤＣＩを運ぶチャネル（つまり、第１の物理ダウンリンク制御チャネル）は、Ｒ個のサブフレームを用いることにより送信されてもよく、そしてＵＥは、Ｒ個のサブフレームの各々において、基地局によって送信される第１の物理ダウンリンク制御チャネルを受信してもよい。このようにして、比較的低い通信パフォーマンスを有するＵＥは、Ｒ個のサブフレームにおける第１の物理ダウンリンク制御チャネルを正しく受信してもよく、その結果、ＵＥによって第１の物理ダウンリンク制御チャネルを受信する信号強度は強化される。つまり、ＵＥによって第１の物理ダウンリンク制御チャネルに対するチャネル推定を行うパフォーマンスは、Ｒ個のサブフレームにおける通信環境の短期相関を用いることにより改善され、ＵＥによる第１の物理ダウンリンク制御チャネルの監視のパフォーマンスを改善するために、時間領域ダイバーシチ利得は通信環境の長期時変特性を用いることにより取得される。
【００７０】
具体的には、ステップ１０１において、第１の物理ダウンリンク制御チャネルがＵＥと基地局との間で送信される前に、ＵＥはまず第１の物理ダウンリンク制御チャネルを送信するためのパラメータセットを取得する。第１の物理ダウンリンク制御チャネルは、少なくともＲ個のサブフレームにおいて同じＤＣＩを送信するために用いられる。
【００７１】
同じＤＣＩはＲ個のサブフレームにおいて送信される、つまり、本発明のこの実施形態において提供される物理ダウンリンク制御チャネル送信方法にしたがって、第１の物理ダウンリンク制御チャネルは、Ｒ個のサブフレームにおいて送信されてもよい。したがって、１つのサブフレーム（１ｍｓ）において、ＵＥが複数の候補ＥＰＤＣＣＨを監視し、候補ＥＰＤＣＣＨセットにおける各候補ＥＰＤＣＣＨを構成情報にしたがって復号化することを試みる必要がある従来技術と比較して、ＵＥはＲ個のサブフレームの各々において第１の物理ダウンリンク制御チャネルを受信してもよく、その結果、ＵＥによって第１の物理ダウンリンク制御チャネルを受信する信号強度は強化される。
【００７２】
具体的には、ステップ１０１におけるパラメータセットは特に、第１の物理ダウンリンク制御チャネルを送信するために占有されるＲ個のサブフレームを示す情報を含んでいてもよく、Ｒ個のサブフレームの各々における以下のパラメータ：第１の物理ダウンリンク制御チャネルを構成するＥＣＣＥ（拡張制御チャネルエレメント、Ｅｎｈａｎｃｅｄ  Ｃｏｎｔｒｏｌ  Ｃｈａｎｎｅｌ  Ｅｌｅｍｅｎｔ）の量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプ、を含んでもよい。
【００７３】
ＵＥは、基地局によって送信される構成情報を用いることにより、パラメータセットにおける各パラメータを取得してもよく、または、関連する通信プロトコルにしたがってパラメータセットを予め格納してもよい。具体的には、ＵＥによってパラメータセットにおける各パラメータを取得する方法は、以下の実施形態において詳細に説明される。詳細はここにおいては説明されない。
【００７４】
このようにして、ステップ１０２において、ＵＥは、パラメータセットにしたがって、基地局によって第１の物理ダウンリンク制御チャネルを送信するためのＮ個の候補位置を判定してもよい。Ｎ個の候補位置の各々はＲ個のサブフレームを含む。
【００７５】
さらに、ステップ１０３において、ＵＥは、ステップ１０２において判定されたＮ個の候補位置の各々において、基地局が第１の物理ダウンリンク制御チャネルを送信するか否かを監視する。監視するとは、ＵＥが、Ｎ個の候補位置の各々において、受信されたＤＣＩのフォーマットにしたがって、基地局によって送信されてもよい第１の物理ダウンリンク制御チャネルの復号化を試みることを意味する。
【００７６】
具体的には、第１の物理ダウンリンク制御チャネルを送信するためのパラメータセットは複数のパラメータを含み、異なる値は各パラメータに設定されてもよい。したがって、異なる値を有するパラメータの各グループのパラメータセットは、第１の物理ダウンリンク制御チャネルを送信するための１つの候補位置を示してもよく、つまり、パラメータセットは、第１の物理ダウンリンク制御チャネルを送信するためにＮ個の候補位置（Ｎ≧１）を示してもよい。しかしながら、ＵＥは基地局が実際に第１の物理ダウンリンク制御チャネルを送信する具体的な候補位置を知らない。したがって、ＵＥがステップ１０４において基地局によって用いられる第１の候補位置において、Ｒ個のサブフレームにおいて基地局によって送信される第１の物理ダウンリンク制御チャネルを正しく受信するまで、ＵＥは、各候補位置において、基地局が第１の物理ダウンリンク制御チャネルを候補位置において送信するか否かを判定するために基地局によって送信される第１の物理ダウンリンク制御チャネルを監視するために、つまり、各候補位置においてＤＣＩの１つまたは複数のフォーマットにしたがって第１の物理ダウンリンク制御チャネルの復号化を試みるために、ＤＣＩの１つまたは複数のフォーマットにしたがってブラインド検出を行う必要がある（ＵＥは、第１の物理ダウンリンク制御チャネル上で運ばれるＤＣＩの具体的なフォーマットを知らないので、ここに記載されたＤＣＩの１つまたは複数のフォーマットは、基地局によってＵＥに対して示されてもよく、または、ＵＥに予め格納されてもよい）。
【００７７】
本発明の実施形態は、物理ダウンリンク制御チャネル送信方法を提供する。図２に示すように、方法は、以下を含む。
【００７８】
２０１．基地局は第１の物理ダウンリンク制御チャネルを送信するためのパラメータセットを取得し、第１の物理ダウンリンク制御チャネルは少なくともＲ個のサブフレームにおいて同じＤＣＩを送信するために用いられ、Ｒは１より大きいまたはこれに等しい整数である。
【００７９】
２０２．基地局はパラメータセットにしたがって、第１の物理ダウンリンク制御チャネルをＵＥに送信するためのＮ個の候補位置を判定し、候補位置はＲ個のサブフレームを含み、Ｎは１より大きいまたはこれに等しい整数である。
【００８０】
２０３．基地局はＮ個の候補位置における第１の候補位置を第１の物理ダウンリンク制御チャネルを送信するための位置として判定し、第１の物理ダウンリンク制御チャネルをＵＥに第１の候補位置において送信する。
【００８１】
具体的には、ステップ２０１において、ステップ１０１および１０２に対応して、基地局はまた、ＵＥによって第１の物理ダウンリンク制御チャネルを正しく受信する確率を改善するために、同じダウンリンク制御情報ＤＣＩをＲ個のサブフレームにおいて運ぶ第１の物理ダウンリンク制御チャネルを送信するために第１の物理ダウンリンク制御チャネルを送信するためのパラメータセットを取得する。第１の物理ダウンリンク制御チャネルは、同じダウンリンク制御情報ＤＣＩを少なくともＲ個のサブフレームにおいて送信するために用いられる。
【００８２】
同様に、ステップ２０１におけるパラメータセットは特に、第１の物理ダウンリンク制御チャネルを送信するために占有されるＲ個のサブフレームを示す情報、および、Ｒ個のサブフレームの各々における以下のパラメータ：第１の物理ダウンリンク制御チャネルを構成するＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプ、を含んでもよい。
【００８３】
ステップ２０２において、第１の物理ダウンリンク制御チャネルを送信するためのパラメータセットは第１の物理ダウンリンク制御チャネルを送信するための複数の候補位置を示してもよいので、基地局は、ステップ２０１におけるパラメータセットにしたがって、第１の物理ダウンリンク制御チャネルをＵＥに送信するためのＮ個の候補位置を判定してもよい。
【００８４】
さらに、ステップ２０３において、基地局は、スケジューリング要件、予め格納された送信ルールまたは関連するプロトコル規定にしたがって、ステップ２０２において判定されたＮ個の候補位置における第１の候補位置を判定してもよい。第１の候補位置は第１の物理ダウンリンク制御チャネルを送信するための位置である。そして、基地局は、第１の物理ダウンリンク制御チャネルをＵＥに第１の候補位置において送信する。
【００８５】
対応して、ＵＥが第１の物理ダウンリンク制御チャネルを送信するためのパラメータセットを判定した後で、ＵＥは基地局が最終的に第１の物理ダウンリンク制御チャネルを送信する具体的な候補位置を知らないので、ＵＥが第１の候補位置において、Ｒ個のサブフレームにおける基地局によって送信される第１の物理ダウンリンク制御チャネルを正しく受信するまで、ＵＥは、基地局が第１の物理ダウンリンク制御チャネルを送信するか否かを判定するために各候補位置において第１の物理ダウンリンク制御チャネルの復号化を試みるために、パラメータセットにしたがってブラインド検出を行う。
【００８６】
本発明のこの実施形態において提供される物理ダウンリンク制御チャネル送信方法によれば、ＵＥは第１の物理ダウンリンク制御チャネルを送信するためのパラメータセットを取得し、パラメータセットにしたがって、基地局によって第１の物理ダウンリンク制御チャネルを送信するためのＮ個の候補位置を判定する。各候補位置はＲ個のサブフレームを含み、同じＤＣＩがＲ個のサブフレームに含まれている。つまり、本発明のこの実施形態において提供される物理ダウンリンク制御チャネル送信方法によれば、第１の物理ダウンリンク制御チャネルは、Ｒ個のサブフレームにおいて送信されてもよい。したがって、１つのサブフレーム（１ｍｓ）において、ＵＥが複数の候補ＥＰＤＣＣＨを監視し、構成情報にしたがって候補ＥＰＤＣＣＨセットにおける各候補ＥＰＤＣＣＨを復号化することを試みる必要がある従来技術と比較して、ＵＥはＲ個のサブフレームの各々における第１の物理ダウンリンク制御チャネルを受信してもよく、その結果ＵＥによって第１の物理ダウンリンク制御チャネルを受信する信号強度は強化される。
【００８７】
＜実施形態２＞
本発明の実施形態は、ダウンリンク制御チャネル送信方法を提供する。図３に示すように、方法は、以下を含む。
【００８８】
３０１．ＵＥが第１の物理ダウンリンク制御チャネルを送信するために占有されるＲ個のサブフレームに関する情報を取得すること。
【００８９】
３０２．ＵＥがＲ個のサブフレームの各々における第１の物理ダウンリンク制御チャネルを構成するＥＣＣＥの量を取得すること。
【００９０】
３０３．ＵＥがＲ個のサブフレームの各々における第１の物理ダウンリンク制御チャネルを構成するＥＣＣＥのインデックスを取得すること。
【００９１】
３０４．ＵＥが第１の物理ダウンリンク制御チャネル上で送信されるビットのブロックをスクランブリングするためのスクランブリングコードシーケンスを判定するために用いられる第１のパラメータを取得すること。
【００９２】
３０５．ＵＥが第１の物理ダウンリンク制御チャネルに関連付けられた復調参照信号を判定するために用いられる第２のパラメータを取得すること。
【００９３】
３０６．ＵＥがＲ個のサブフレームの各々における第１の物理ダウンリンク制御チャネルに関連付けられたアンテナポート番号を取得すること。
【００９４】
３０７．ＵＥがステップ３０１ないし３０６で判定されたＲ個のサブフレームに関する情報、ＥＣＣＥの量、ＥＣＣＥのインデックス、第１のパラメータ、第２のパラメータおよびアンテナポート番号にしたがって、基地局によって第１の物理ダウンリンク制御チャネルを送信するためのＮ個の候補位置を判定すること。
【００９５】
３０８．ＵＥがＮ個の候補位置において、基地局が第１の物理ダウンリンク制御チャネルを送信するか否かを監視すること。
【００９６】
３０９．ＵＥが第１の候補位置において、基地局によって送信される第１の物理ダウンリンク制御チャネルを受信し、Ｎ個の候補位置は第１の候補位置を含む。
【００９７】
第１の物理ダウンリンク制御チャネル（第１の物理ダウンリンク制御チャネルは少なくともＲ個のサブフレームにおいて同じＤＣＩを送信するために用いられる）がＵＥと基地局との間で送信される前に、ＵＥはまず、第１の物理ダウンリンク制御チャネルを送信するために占有されるＲ個のサブフレームを示す情報、および、Ｒ個のサブフレームの各々における以下のパラメータを取得する必要がある：第１の物理ダウンリンク制御チャネルを構成するＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプ。
【００９８】
具体的には、ステップ３０１において、ＵＥは第１の物理ダウンリンク制御チャネルを送信するために占有されるＲ個のサブフレームに関する情報を取得する。Ｒ個のサブフレームに関する情報は特にＲ個のサブフレームの位置情報またはＲ個のサブフレームの開始サブフレームの位置情報であってもよい。例えば、Ｒ個のサブフレームに関する情報は、Ｒ個のサブフレームが属する無線フレームのフレーム番号およびＲ個のサブフレームの開始サブフレームのフレーム番号を含む。
【００９９】
本発明のこの実施形態においては、第１の物理ダウンリンク制御チャネルを送信するために占有されるＲ個のサブフレームは、Ｒ個の連続的サブフレームまたはＲ個の非連続的サブフレームであってもよいことに留意すべきである。例えば、ＴＤＤシステムにおいては、連続的サブフレームは、アップリンクサブフレームおよびダウンリンクサブフレームを両方とも含んでもよい。この場合、第１の物理ダウンリンク制御チャネルを送信するために占有されるＲ個のサブフレームは、Ｒ個の連続的ダウンリンクサブフレームであってもよい。代替的に、周波数ホッピングは、第１の物理ダウンリンク制御チャネルを送信するために占有されるＲ個のサブフレームにおいて発生してもよい。例えば、Ｒ個のサブフレームの第１のサブフレームは、第１の周波数領域リソース上に位置しており、第２のサブフレームないしＲ番目のサブフレームは第２の周波数領域リソース上に位置している。この場合、異なる周波数領域リソース間のハンドオーバは追加的にハンドオーバ時間（１つのサブフレームなど）を占める必要があるので、第１の物理ダウンリンク制御チャネルを送信するために占有されるＲ個のサブフレームは、ハンドオーバ時間を含まないＲ個の非連続的サブフレームである。
【０１００】
例えば、以下の実施形態は、Ｒ個の連続的サブフレームを例として用いて説明されている。例えば、時間‐周波数リソース上にあり、第１の物理ダウンリンク制御チャネルによって占有されるＲ個のサブフレームのものである位置が図４に示されている。時間‐周波数リソース上にあり第１の物理ダウンリンク制御チャネルを基地局によって送信するために占有されるＲ個のサブフレームのものである具体的な位置を判定するために、ＵＥは、基地局によって配信される構成情報を用いることにより、Ｒ個のサブフレームの位置情報またはＲ個のサブフレームの開始サブフレームの位置情報を取得してもよい。確かに、ＵＥは、関連するプロトコルにしたがって、第１の物理ダウンリンク制御チャネルを送信するために占有されるＲ個のサブフレームの位置情報またはＲ個のサブフレームの開始サブフレームの位置情報を判定してもよい。
【０１０１】
例えば、Ｒ＝１００であり、ＳＦＮ（つまり、システムフレーム番号）ｍｏｄ１００＝０という条件を満たす無線フレームが開始無線フレームとして用いられると仮定すると、開始無線フレームにおける第１のダウンリンクサブフレームはＲ個のサブフレームの開始サブフレームとして用いられる。代替的に、異なるセルの間の干渉を回避するために、Ｒ個のサブフレームの開始無線フレームおよび／またはＲ個のサブフレームの開始サブフレームを判定するためにセル識別子（つまり、セルＩＤ）が予め設定されたパラメータとして用いられてもよい。例えば、（ＳＦＮ  ｍｏｄ１００）＋（Ｃｅｌｌ  ＩＤ  ｍｏｄ１００）＝０という条件を満たす無線フレームが開始無線フレームとして用いられ、開始無線フレームにおける第１のダウンリンクサブフレームがＲ個のサブフレームの開始サブフレームとして用いられる。代替的に、セル間の干渉を回避するために、セルにおける開始無線フレーム間および／または開始サブフレーム間のオフセットが基地局によって送信される構成情報に含まれる。この場合、ＵＥは、Ｒ個のサブフレームの開始無線フレームおよび／またはＲ個のサブフレームの開始サブフレームを（ＳＦＮ  ｍｏｄ１００）＋ｏｆｆｓｅｔ（オフセット）＝０という条件のような予め設定された条件にしたがって判定する。このようにして、異なるセルにおけるＵＥについては、異なる位置におけるＲ個のサブフレームは、第１の物理ダウンリンク制御チャネルを送信するために占有されてもよい。
【０１０２】
本発明のこの実施形態において提供される物理ダウンリンク制御チャネル送信方法によれば、第１の物理ダウンリンク制御チャネルがＲ個のサブフレームにおいて送信されてもよいことが学習されることができる。したがって、１つのサブフレーム（１ｍｓ）において、ＵＥが複数の候補ＥＰＤＣＣＨを監視し、構成情報にしたがって候補ＥＰＤＣＣＨセットにおける各候補ＥＰＤＣＣＨを復号化することを試みる必要がある従来技術と比較して、ＵＥはＲ個のサブフレームの各々における第１の物理ダウンリンク制御チャネルを受信してもよく、その結果ＵＥによって第１の物理ダウンリンク制御チャネルを受信する信号強度は強化される。つまり、ＵＥによる第１の物理ダウンリンク制御チャネルに対するチャネル推定を行うパフォーマンスは、Ｒ個のサブフレームにおける通信環境の短期相関を用いることにより改善され、ＵＥによる第１の物理ダウンリンク制御チャネルの監視のパフォーマンスを改善するために、時間領域ダイバーシチ利得は通信環境の長期時変特性を用いることにより取得される。
【０１０３】
さらに、同じ周波数領域リソース上で、複数の候補位置がＲ個のサブフレームについて設定されてもよい。この場合、ＵＥはさらに、複数の候補位置における任意の候補位置におけるＲ個のサブフレームの位置情報またはＲ個のサブフレームの開始サブフレームの位置情報を取得してもよい。第１のオフセットはＭ番目の候補位置と（Ｍ−１）番目の候補位置との間に存在し、Ｍは１より大きい整数である。
【０１０４】
例えば、図５に示すように、３つの候補位置が同じ第１の周波数領域リソース上に設定される。３つの候補位置はそれぞれＲ個のサブフレームを含む。第１の候補位置におけるＲ個のサブフレームの開始無線フレームを判定する方法は、図４における開始無線フレームを判定する方法と同じである。第２の候補位置は、第１のオフセットが第１の候補位置に追加された後で取得される。図５に示すように、Ｒの値は第１のオフセットとして用いられ、第３の候補位置は第１のオフセットが第２の候補位置に継続的に追加された後で取得される。
【０１０５】
この場合、基地局によってＵＥ１に送信される第１の物理ダウンリンク制御チャネルが第１の候補位置においてＲ個のサブフレームを占有する場合、基地局によってＵＥ２に送信される第１の物理ダウンリンク制御チャネルは、第２の候補位置においてＲ個のサブフレームを占有してもよい。この場合、ＵＥ２は、第１の物理ダウンリンク制御チャネルを、ＵＥ１が第１の物理ダウンリンク制御チャネルを受信するまで待たずに、受信して応答を基地局に送信する。
【０１０６】
確かに、第１のオフセットは標準で指定されてもよい。代替的に、第１のオフセットは、Ｒ個のサブフレームに関する情報とともに、基地局によってＵＥに送信される構成情報を用いてＵＥに送信されてもよい。
【０１０７】
さらにいえば、第１の物理ダウンリンク制御チャネルによって占有されるＲ個のサブフレームに関する情報において、Ｒの値は、第１の物理ダウンリンク制御チャネル上で運ばれるＤＣＩのフォーマットにしたがって判定されてもよい。つまり、第１の物理ダウンリンク制御チャネル上で運ばれるＤＣＩのフォーマットが異なるとき、第１の物理ダウンリンク制御チャネルを送信するために占有されるＲ個のサブフレームのリソースが異なる。
【０１０８】
図６に示すように、同じ第１の周波数領域リソース上で、第１の物理ダウンリンク制御チャネルがフォーマットＹのＤＣＩを運ぶ場合、ＵＥによって用いられるＲ１個のサブフレームにおけるＲ１の値はより小さく、または、第１の物理ダウンリンク制御チャネルがフォーマットＸのＤＣＩ、を運ぶ場合、ＵＥによって用いられるＲ２個のサブフレームにおけるＲ２の値はより大きい。フォーマットＸのＤＣＩにおいて運ばれる情報はフォーマットＹのＤＣＩにおいて運ばれる情報とは異なるが、フォーマットＸのＤＣＩに含まれるビットの量はフォーマットＹのＤＣＩに含まれるビットの量と同じである。代替的に、フォーマットＸのＤＣＩに含まれるビットの量はフォーマットＹのＤＣＩに含まれるビットの量とは異なり、フォーマットＸのＤＣＩに含まれるビットの量はフォーマットＹのＤＣＩに含まれるビットの量よりも大きい。
【０１０９】
特に、第１の物理ダウンリンク制御チャネル上で運ばれるＤＣＩが、ページングメッセージがＰＤＳＣＨ上で送信されるようにスケジューリングを行うために用いられるスケジューリング情報を含むとき、ＵＥは、図４または図５に示すＲ個のサブフレームに関する情報にしたがって、第１の物理ダウンリンク制御チャネルを監視するだけでよい。
【０１１０】
第１の物理ダウンリンク制御チャネル上で運ばれるＤＣＩが、ＲＡＲがＰＤＳＣＨ上で送信されるようにスケジューリングを行うために用いられるスケジューリング情報を含むとき、または、ＤＣＩがＲＡＲに関する情報の一部または全部を直接的に含むとき、ＵＥは、図４、図５または図６に示すＲ個のサブフレームに関する情報にしたがって第１の物理ダウンリンク制御チャネルを監視するだけでよい。
【０１１１】
第１の物理ダウンリンク制御チャネル上で運ばれるＤＣＩが、ＲＡＲがＰＤＳＣＨ上で送信されるようにスケジューリングを行うために用いられるスケジューリング情報を含むとき、または、ＤＣＩがＲＡＲに関する情報の一部または全部を直接的に含むとき、ＤＣＩのサイズは２つの場合において同じであってもよい、つまり、第１の物理ダウンリンク制御チャネル上で運ばれるＤＣＩは２つのフォーマットを有するが、２つのフォーマットのＤＣＩに含まれるビットの量は同じである。例えば、フォーマットＸのＤＣＩが、ＲＡＲがＰＤＳＣＨ上で送信されるようにスケジューリングを行うために用いられるスケジューリング情報を含み、フォーマットＹのＤＣＩがＲＡＲに関する情報の一部または全部を直接的に含む。この場合、ＵＥはまず、第１の物理ダウンリンク制御チャネル上で運ばれるＤＣＩのフォーマットを判定する。ＤＣＩがフォーマットＸである場合、ＵＥは、ＤＣＩに含まれるスケジューリング情報にしたがって、ＰＤＳＣＨを復号化する。ＤＣＩがフォーマットＹである場合、ＵＥは、ＲＡＲに関する情報の一部または全部をＤＣＩから直接的に取得する。
【０１１２】
ＵＥによって、第１の物理ダウンリンク制御チャネル上で運ばれるＤＣＩのフォーマットを判定する方法は次の実施形態において詳細に説明される。詳細はここにおいては説明されない。
【０１１３】
加えて、第１の物理ダウンリンク制御チャネルを送信するために占有されるＲ個のサブフレームに関する情報を取得した後で、ＵＥはさらに、第１の物理ダウンリンク制御チャネルを送信するために占有されるＰ個のサブフレームに関する情報を取得してもよい。Ｐ個のサブフレームの開始サブフレームの位置はＲ個のサブフレームの開始サブフレームの位置と同じである、つまり、Ｐ個のサブフレームの開始サブフレームの時間領域位置および周波数領域位置は、Ｒ個のサブフレームの開始サブフレームのそれと同じである。加えて、Ｐ個のサブフレームにおける第１の物理ダウンリンク制御チャネルで送信されるＤＣＩは、Ｒ個のサブフレームにおいて送信されるＤＣＩと同じであり、Ｐは１より大きいまたはこれに等しい整数であり、ＰはＲと等しくない。
【０１１４】
つまり、ＵＥは、Ｒ個のサブフレームに関する情報およびＰ個のサブフレームに関する情報を取得してもよい。Ｒ個のサブフレームおよびＰ個のサブフレームはすべて第１の物理ダウンリンク制御チャネルを送信するために用いられる。図４に示す時間‐周波数リソース上のＲ個のサブフレームの位置に基づいて、図７に示すように、Ｒ＝ＴおよびＰ＝２Ｔと仮定され、Ｔは０より大きい整数であり、ＲおよびＰはそれぞれ第１のカバレッジ拡張レベルおよび第２のカバレッジ拡張レベルに対応し、Ｒ個のサブフレームの開始サブフレームはＰ個のサブフレームの開始サブフレームと同じであり、Ｐ個のサブフレームはＲ個のサブフレームの時間‐周波数リソースを含む。このようにして、異なるカバレッジ拡張レベルで配置されているＵＥについては、異なる量のサブフレームが第１の物理ダウンリンク制御チャネルを送信するために設定されてもよい。
【０１１５】
加えて、基地局がＰ個のサブフレームを用いて第１の物理ダウンリンク制御チャネルを送信する場合でも、ＵＥが第１のカバレッジ拡張レベルに対応するＲ個のサブフレームを用いて送信された第１の物理ダウンリンク制御チャネルを受信することを条件として、実際にはＵＥが第１の物理ダウンリンク制御チャネルを成功裏に復号化することができる。したがって、ＵＥは、Ｐ個のサブフレームではなくＲ個のサブフレームを用いることにより送信された第１の物理ダウンリンク制御チャネルを受信するだけでよい。
【０１１６】
図５または図６に示す時間‐周波数リソース上のＲ個のサブフレームの位置の模式図はまた、時間‐周波数リソース上のＰ個のサブフレームの位置を含んでもよいことに留意すべきである。詳細は本発明のこの実施形態においては説明されない。
【０１１７】
ステップ３０２において、ＵＥは、Ｒ個のサブフレームの各々における第１の物理ダウンリンク制御チャネルを構成するＥＣＣＥの量を取得する。
【０１１８】
具体的には、ＵＥは、第１の物理ダウンリンク制御チャネルを送信するための送信セットを取得してもよい。送信セットは特に１つまたは複数の以下のパラメータ：第１の物理ダウンリンク制御チャネルを送信するために占有されるＰＲＢの量、ＤＣＩのフォーマット、ＣＰ（サイクリックプレフィックス、Ｃｙｃｌｉｃ  Ｐｒｅｆｉｘ）のタイプまたはフレーム構造タイプ、を含む。フレーム構造タイプは、第１のフレーム構造タイプまたは第２のフレーム構造タイプを含む。第１のフレーム構造タイプは、ＦＤＤ（周波数分割複信、Ｆｒｅｑｕｅｎｃｙ  Ｄｉｖｉｓｉｏｎ  Ｄｕｐｌｅｘ）システムに適用される。第２のフレーム構造タイプは、ＴＤＤ（時分割複信、Ｔｉｍｅ  Ｄｉｖｉｓｉｏｎ  Ｄｕｐｌｅｘ）システムに適用される。そして、ＵＥは、送信セットにしたがって、第１の物理ダウンリンク制御チャネルを構成するＥＣＣＥの量を判定する。
【０１１９】
例えば、ＵＥは、送信セットにしたがって、Ｒ個のサブフレームの第１のサブフレームにおける第１の物理ダウンリンク制御チャネルを構成するＥＣＣＥの量を判定してもよい（第１のサブフレームは、Ｒ個のサブフレームのいずれか１つである）。そして、ＵＥは、第１の予め設定されたルールおよび第１のサブフレームにおける第１の物理ダウンリンク制御チャネルを構成するＥＣＣＥの量にしたがって、Ｒ個のサブフレームにおけるＲ−１個の他のサブフレームの各々における第１の物理ダウンリンク制御チャネルを構成するＥＣＣＥの量を判定する。
【０１２０】
具体的には、第１の予め設定されたルールは、以下のとおりであってもよい。Ｒ個のサブフレームにおけるＲ−１個の他のサブフレームの各々における第１の物理ダウンリンク制御チャネルを構成するＥＣＣＥの量は、第１のサブフレームにおける第１の物理ダウンリンク制御チャネルを構成するＥＣＣＥの量と同じであり、または、関数関係が、Ｒ個のサブフレームにおけるＲ−１個の他のサブフレームの各々における第１の物理ダウンリンク制御チャネルを構成するＥＣＣＥの量と第１のサブフレームにおける第１の物理ダウンリンク制御チャネルを構成するＥＣＣＥの量との間に存在する。当業者は、実際の経験にしたがって設定を行ってもよい。
【０１２１】
例えば、第１のサブフレームは、Ｒ個のサブフレームの開始サブフレームに設定されてもよい。Ｒ個のサブフレームの第２のサブフレームからＲ番目のサブフレームまでの各サブフレームにおける第１の物理ダウンリンク制御チャネルを構成するＥＣＣＥの量については、開始サブフレームにおける第１の物理ダウンリンク制御チャネルを構成するＥＣＣＥの量を参照されたい。例えば、第２のサブフレームからＲ番目のサブフレームまでの各サブフレームにおける第１の物理ダウンリンク制御チャネルを構成するＥＣＣＥの量は、開始サブフレームにおける第１の物理ダウンリンク制御チャネルを構成するＥＣＣＥの量と同じである。
【０１２２】
確かに、ＵＥは、基地局によって送信される構成情報にしたがって、Ｒ個のサブフレームの各々における第１の物理ダウンリンク制御チャネルを構成するＥＣＣＥの量を判定してもよい。例えば、構成情報は、第１のサブフレームにおける第１の物理ダウンリンク制御チャネルを構成するＥＣＣＥの量を含む。そして、ＵＥは、第１の予め設定されたルールおよび第１のサブフレームにおける第１の物理ダウンリンク制御チャネルを構成するＥＣＣＥの量にしたがって、Ｒ個のサブフレームにおけるＲ−１個の他のサブフレームの各々における第１の物理ダウンリンク制御チャネルを構成するＥＣＣＥの量を判定する。
【０１２３】
例えば、第１のサブフレームにおける第１の物理ダウンリンク制御チャネルを構成するＥＣＣＥの量が１６または２４であり、Ｒ−１個の他のサブフレームが第１のタイプのスペシャルサブフレームを含む場合、第１のタイプのスペシャルサブフレームにおける第１の物理ダウンリンク制御チャネルを構成するＥＣＣＥの量は１２または１２未満である。
【０１２４】
第１のタイプのスペシャルサブフレームは、第２のフレーム構造タイプにおけるスペシャルサブフレームの構成（スペシャルサブフレームの構成）が１、２、６、７または９であるときの対応するスペシャルサブフレームである。具体的には、スペシャルサブフレームの各構成は３つの部分、つまり、ダウンリンクパイロットタイムスロット（ｄｏｗｎｌｉｎｋ  ｐｉｌｏｔ  ｔｉｍｅ−ｓｌｏｔ，ＤｗＰＴＳ）、ガードピリオドＧＰ（ｇｕａｒｄ  ｐｅｒｉｏｄ）およびアップリンクパイロットタイムスロット（ｕｐｌｉｎｋ  ｐｉｌｏｔ  ｔｉｍｅ−ｓｌｏｔ，ＵｐＰＴＳ）を含み、３つの部分の全長は１ｍｓである。例えば、スペシャルサブフレームの構成が１であるとき、ノーマルＣＰがダウンリンクで構成されている場合、スペシャルサブフレームのＤｗＰＴＳは、１９７６０のＯＦＤＭシンボルを含み、または、拡張ＣＰがダウンリンクで構成されている場合、スペシャルサブフレームのＤｗＰＴＳは２０４８０のＯＦＤＭシンボルを含む。
【０１２５】
第１のサブフレームが第１のタイプのスペシャルサブフレームであり、第１のサブフレームにおける第１の物理ダウンリンク制御チャネルを構成するＥＣＣＥの量は１２であり、Ｒ−１個の他のサブフレームはノーマルサブフレームを含む場合、ノーマルサブフレームにおける第１の物理ダウンリンク制御チャネルを構成するＥＣＣＥの量は１２、２４または１６である。Ｒ−１個の他のサブフレームがさらに第１のタイプのスペシャルサブフレームを含む場合、第１のタイプのスペシャルサブフレームにおける第１の物理ダウンリンク制御チャネルを構成するＥＣＣＥの量は依然として第１の予め設定されたルールにしたがって判定されてもよい。
【０１２６】
ステップ３０３において、ＵＥは、Ｒ個のサブフレームの各々における第１の物理ダウンリンク制御チャネルを構成するＥＣＣＥの量にしたがって、第１の物理ダウンリンク制御チャネルを構成するために占有されるＥＣＣＥのインデックスを判定する。
【０１２７】
例えば、ＵＥは、第１のサブフレームにおける第１の物理ダウンリンク制御チャネルを送信するための候補位置の量、第１のサブフレームに含まれるＥＣＣＥの量、および、第１のサブフレームにおける第１の物理ダウンリンク制御チャネルを構成するＥＣＣＥのものであってステップ３０２において判定される量にしたがって、第１のサブフレームにおけるＥＣＣＥのインデックスを判定してもよい。そして、ＵＥは、Ｒ個のサブフレームにおけるＲ−１個の他のサブフレームの各々におけるＥＣＣＥのインデックスを、第２の予め設定されたルールおよび第１のサブフレームにおけるＥＣＣＥのインデックスにしたがって判定する。
【０１２８】
確かに、ＵＥは、基地局によって送信される構成情報にしたがって、Ｒ個のサブフレームの各々における第１の物理ダウンリンク制御チャネルを構成するＥＣＣＥのインデックスを判定してもよい。例えば、構成情報は、第１のサブフレームにおける第１の物理ダウンリンク制御チャネルを構成するＥＣＣＥのインデックスを含む。そして、ＵＥは、Ｒ個のサブフレームにおけるＲ−１個の他のサブフレームの各々におけるＥＣＣＥのインデックスを、第２の予め設定されたルールおよび第１のサブフレームにおける第１の物理ダウンリンク制御チャネルを構成するために占有されるＥＣＣＥのインデックスにしたがって判定する。
【０１２９】
ステップ３０２と同様、第２の予め設定されたルールは以下のとおりであってもよい。Ｒ個のサブフレームにおけるＲ−１個の他のサブフレームの各々における第１の物理ダウンリンク制御チャネルを構成するＥＣＣＥのインデックスは、第１のサブフレームにおける第１の物理ダウンリンク制御チャネルを構成するＥＣＣＥのインデックスと同じであり、または、関数関係が、Ｒ−１個の他のサブフレームの各々における第１の物理ダウンリンク制御チャネルを構成するＥＣＣＥのインデックスと第１のサブフレームにおける第１の物理ダウンリンク制御チャネルを構成するＥＣＣＥのインデックスとの間に存在する。当業者は実際の経験にしたがって設定を行ってもよい。
【０１３０】
例えば、ＵＥはまず、Ｒ個のサブフレームの開始サブフレームにおけるＥＣＣＥのインデックスを判定してもよい。そして、第２のサブフレームからＲ番目のサブフレームまでの各サブフレームにおける第１の物理ダウンリンク制御チャネルに対応するＥＣＣＥのインデックスについては、開始サブフレームにおけるＥＣＣＥのインデックスを参照されたい。例えば、第２のサブフレームからＲ番目のサブフレームまでの各サブフレームにおける第１の物理ダウンリンク制御チャネルに対応するＥＣＣＥのインデックスは、開始サブフレームにおけるＥＣＣＥのインデックスと同じである。
【０１３１】
特に、第２のフレーム構造タイプについては、開始サブフレームが第１のタイプのスペシャルサブフレームであり、第１の物理ダウンリンク制御チャネルを構成するＥＣＣＥの量が１２である場合、２４のＥＣＣＥがノーマルサブフレームにおいて用いられているとき、ＥＣＣＥのインデックスは、２４のＥＣＣＥすべてに対応している。代替的に、１２のＥＣＣＥがノーマルサブフレームにおいて用いられているとき、ノーマルサブフレームは２つのインデックスセットを含む。インデックスセットの１つは、開始サブフレームにおける対応するＥＣＣＥインデックスセットと同じであり、インデックスセットは、デフォルトでノーマルサブフレームにおいて用いられ、または、２つのインデックスセットがそれぞれサブフレームにおける第１の物理ダウンリンク制御チャネルを送信するための２つの候補位置を示す。
【０１３２】
ステップ３０４において、ＵＥは、第１の物理ダウンリンク制御チャネル上で送信されるビットのブロックをスクランブリングするためのスクランブリングコードシーケンスを判定するために用いられる第１のパラメータを取得する。
【０１３３】
第１の物理ダウンリンク制御チャネルが２つのＥＰＤＣＣＨ構成セット（ＥＰＤＣＣＨ‐ｓｅｔｃｏｎｆｉｇ）に含まれる物理リソースブロックＰＲＢにマッピングされるとき、ＵＥは、２つのＥＰＤＣＣＨ構成セットにおけるものでありそれぞれスクランブリングコードシーケンスを判定するために用いられるパラメータにしたがって、第１のパラメータを判定する。
【０１３４】
例えば、ＥＰＤＣＣＨ構成セットは、以下のパラメータ：ＥＰＤＣＣＨ構成セットのＩＤ、第１の物理ダウンリンク制御チャネルの送信タイプ（送信タイプ）、第１のサブフレームにおける第１の物理ダウンリンク制御チャネルによって占有されるＰＲＢペアの量、周波数領域リソース上での占有されたＰＲＢペアの位置、または復調参照信号ＤＭＲＳのスクランブリングコードシーケンスの初期化パラメータの少なくとも１つを含んでもよい。
【０１３５】
具体的には、基地局によって送信される構成情報が２つのＥＰＤＣＣＨ構成セットを含み、第１の物理ダウンリンク制御チャネルが２つのＥＰＤＣＣＨ構成セットにおけるＰＲＢを占有する場合、第１の物理ダウンリンク制御チャネル上で送信されるビットは、スクランブリングコードシーケンスを用いてスクランブリングされる。スクランブリングコードシーケンスジェネレータの初期値は、２つのＥＰＤＣＣＨ構成セットのいずれかにおける第１のパラメータを用いることにより第３の予め設定されたルールにしたがってデフォルトで生成されてもよい。第３の予め設定されたルールは特に以下のとおりである。第１のＥＰＤＣＣＨ構成セットにおけるものであって第１の物理ダウンリンク制御チャネル上で送信されるビットのブロックをスクランブリングするためのスクランブリングコードシーケンスを判定するために用いられるパラメータが用いられ、または、より大きいまたはより小さいＰＲＢの量を含むＥＰＤＣＣＨ構成セットにおけるものであって第１の物理ダウンリンク制御チャネル上で送信されるビットのブロックをスクランブリングするためのスクランブリングコードシーケンスを判定するために用いられるパラメータが用いられる。
【０１３６】
２つのＥＰＤＣＣＨ構成セットにおいて、一方のＥＰＤＣＣＨ構成セットは２つのＰＲＢを含むことがあり、他方のＥＰＤＣＣＨ構成セットは４つのＰＲＢを含むことがある。代替的に、２つのＥＰＤＣＣＨ構成セットはそれぞれ２つのＰＲＢを含む。２つのＥＰＤＣＣＨ構成セットは、第１の物理ダウンリンク制御チャネルの送信態様を示す、つまり、送信態様の両方がローカライズド送信またはディストリビューテッド送信であることを示す、同じ表示情報を含む。
【０１３７】
さらに、第１の物理ダウンリンク制御チャネル上で運ばれるＤＣＩがセル固有メッセージと関連付けられる場合、スクランブリングコードシーケンスの初期値は、第１のパラメータを用いることにより次式、
【０１３８】
【数１】
0006643457.tif 000002
【０１３９】
にしたがって生成され、
Ａはプロトコルで明示的に示された第１のパラメータであり、ｃinitはスクランブリングコードシーケンスの初期値であり、ｎsは第１の物理ダウンリンク制御チャネルを送信するための開始サブフレームに対応するタイムスロット番号である。
【０１４０】
加えて、ＤＣＩが、ページングメッセージがＰＤＳＣＨ上で送信されるようにスケジューリングを行うために用いられるスケジューリング情報を含むとき、または、ＤＣＩがＰＤＳＣＨ上で送信されるＲＡＲをスケジューリングするために用いられるスケジューリング情報を含むとき、または、ＤＣＩが直接的にＲＡＲに関する情報の一部または全部を含むとき、第１のパラメータの値は異なっていてもよい。
【０１４１】
例えば、ＤＣＩが、ページングメッセージがＰＤＳＣＨ上で送信されるようにスケジューリングを行うために用いられるスケジューリング情報を含むとき、第１のパラメータは、ＤＣＩに含まれるＣＲＣをスクランブリングするための固有の無線ネットワーク一時識別子であってもよい。ＤＣＩが、ＲＡＲがＰＤＳＣＨ上で送信されるようにスケジューリングを行うために用いられるスケジューリング情報を含むとき、または、ＤＣＩが直接的にＲＡＲに関する情報の一部または全部を含むとき、第１のパラメータは、ＤＣＩに含まれるＣＲＣをスクランブリングするための固有の無線ネットワーク一時識別子であってもよい。
【０１４２】
ステップ３０５において、ＵＥは第１の物理ダウンリンク制御チャネルに関連付けられた復調参照信号を判定するために用いられる第２のパラメータを取得する。
【０１４３】
ステップ３０４における第１のパラメータを判定することと同様、第１の物理ダウンリンク制御チャネルが２つのＥＰＤＣＣＨ構成セットに含まれる物理リソースブロックＰＲＢにマッピングされるとき、ＵＥは、第４の予め設定されたルールおよび２つのＥＰＤＣＣＨ構成セットにおけるものでありそれぞれ復調参照信号を判定するために用いられるパラメータにしたがって、第２のパラメータを判定する。
【０１４４】
同様に、第４の予め設定されたルールは特に以下のとおりである。第１のＥＰＤＣＣＨ構成セットにおけるものであって第１の物理ダウンリンク制御チャネルに関連付けられた復調参照信号を判定するために用いられるパラメータが用いられ、または、より大きいまたはより小さい量のＰＲＢを含むＥＰＤＣＣＨ構成セットにおけるものであって第１の物理ダウンリンク制御チャネルに関連付けられた復調参照信号を判定するために用いられるパラメータが用いられる。
【０１４５】
例えば、｛１０７，１０８，１０９，１１０｝における任意のアンテナポート番号について、復調参照信号シーケンスが擬似ランダムシーケンスにしたがって生成され、例えば、
【０１４６】
【数２】
0006643457.tif 000003
【０１４７】
擬似ランダムシーケンスｃ（ｎ）ジェネレータは、初期化される必要があり、第２のパラメータを用いることにより第４の予め設定されたルールにしたがって、初期化値が生成される。例えば、運ばれるＤＣＩが共通のメッセージと関連付けられる場合、擬似ランダムシーケンスの初期値は
【０１４８】
【数３】
0006643457.tif 000004
【０１４９】
であり、ここでＢは上位層によって構成されたまたはプロトコルで予め設定された第２のパラメータであり、ｎsは、タイムスロット番号または第１の物理ダウンリンク制御チャネルを送信するための開始サブフレームに対応するタイムスロット番号であり、
【０１５０】
【数４】
0006643457.tif 000005
【０１５１】
はプロトコルで予め設定されたパラメータである。
【０１５２】
加えて、ＤＣＩが、ページングメッセージがＰＤＳＣＨ上で送信されるようにスケジューリングを行うために用いられるスケジューリング情報を含むとき、または、ＤＣＩが、ＲＡＲがＰＤＳＣＨ上で送信されるようにスケジューリングを行うために用いられるスケジューリング情報を含むとき、または、ＤＣＩが直接的にＲＡＲに関する情報の一部または全部を含むとき、第２のパラメータの値は異なっていてもよい。
【０１５３】
ステップ３０６において、ＵＥはＲ個のサブフレームの各々における第１の物理ダウンリンク制御チャネルに関連付けられたアンテナポート番号を取得する。
【０１５４】
具体的には、第１の物理ダウンリンク制御チャネル上で運ばれるＤＣＩがセル固有メッセージをスケジューリングするために用いられ、ノーマルサイクリックプレフィックスがＬＴＥシステムにおいて構成されている場合、関連付けられたアンテナポート番号は、｛１０７，１０８，１０９，１１０｝における数である。
【０１５５】
第１の物理ダウンリンク制御チャネル上で運ばれるＤＣＩがセル固有メッセージをスケジューリングするために用いられ、拡張サイクリックプレフィックスがＬＴＥシステムにおいて構成されている場合、関連付けられたアンテナポート番号は｛１０７，１０８｝における数である。
【０１５６】
第１の物理ダウンリンク制御チャネル上で運ばれるＤＣＩがＵＥ固有メッセージをスケジューリングするために用いられている場合、ＬＴＥシステムにおける構成は特に、ノーマルサイクリックプレフィックスおよび拡張サイクリックプレフィックスに分類されてもよい。
【０１５７】
ノーマルサイクリックプレフィックスがＬＴＥシステムにおいて構成されている場合、Ｒ個のサブフレームがノーマルサブフレームおよび第１のタイプのスペシャルサブフレームを含むとき、ＵＥは、関連付けられたアンテナポート番号は｛１０７，１０９｝における数であると判定する。
【０１５８】
ノーマルサイクリックプレフィックスがＬＴＥシステムにおいて構成されている場合、Ｒ個のサブフレームが第１のタイプのスペシャルサブフレームを含まないとき（つまり、Ｒ個のサブフレームのすべてがノーマルサブフレームである、または、Ｒ個のサブフレームがノーマルサブフレームおよび第２のタイプのスペシャルサブフレームを含む）、ＵＥは関連付けられたアンテナポート番号は｛１０７，１０８，１０９，１１０｝における数であると判定する。第２のタイプのスペシャルサブフレームは第２のフレーム構造タイプにおけるスペシャルサブフレームの構成が３、４または８であるときの対応するスペシャルサブフレームである。
【０１５９】
拡張サイクリックプレフィックスがＬＴＥシステムにおいて構成されている場合、ＵＥは、関連付けられたアンテナポート番号は｛１０７，１０９｝における数であると判定する。
【０１６０】
さらに、第１の物理ダウンリンク制御チャネル上で運ばれるＤＣＩがＵＥ固有メッセージをスケジューリングするために用いられ、Ｒ個のサブフレームがノーマルサブフレームおよび第１のタイプのスペシャルサブフレームを含む場合、ノーマルサイクリックプレフィックスがＬＴＥシステムにおいて構成されているとき、ＵＥは、第１の物理ダウンリンク制御チャネルにおいて用いられている最も小さいＥＣＣＥインデックス、第１の物理ダウンリンク制御チャネルを構成するＥＣＣＥの量、および、第１のタイプのスペシャルサブフレームにおけるＰＲＢペアにおいて運ばれるＥＣＣＥの量にしたがって、関連付けられたアンテナポートを｛１０７，１０９｝において判定する。
【０１６１】
対応して、第１の物理ダウンリンク制御チャネル上で運ばれるＤＣＩがＵＥ固有メッセージをスケジューリングするために用いられ。Ｒ個のサブフレームが第１のタイプのスペシャルサブフレームを含まない場合、ノーマルサイクリックプレフィックスがＬＴＥシステムにおいて構成されているとき、ＵＥは、第１の物理ダウンリンク制御チャネルにおいて用いられる最も小さいＥＣＣＥインデックス、第１の物理ダウンリンク制御チャネルを構成するＥＣＣＥの量、および、ノーマルサブフレームにおけるＰＲＢペアに含まれるＥＣＣＥの量にしたがって、関連付けられたアンテナポートを｛１０７，１０８，１０９，１１０｝において判定してもよい。
【０１６２】
ここで、ステップ３０１ないし３０６を用いることにより、ＵＥは、第１の物理ダウンリンク制御チャネルを送信するために占有されるＲ個のサブフレームに関する情報、および、Ｒ個のサブフレームの各々における以下のパラメータ：第１の物理ダウンリンク制御チャネルを構成するＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータおよび関連付けられたアンテナポート番号を取得する。
【０１６３】
ステップ３０１ないし３０６において取得されるパラメータの１つまたは複数は、基地局によってＵＥに送信される構成情報において運ばれてもよく、または、予め格納されたルールまたはプロトコルにしたがってＵＥによって取得されてもよいことに留意すべきである。これは、本発明においては限定されない。加えて、ステップ３０１ないし３０６を行う順序は本発明のこの実施形態において限定されない。
【０１６４】
さらに、ステップ３０７において、ＵＥは、ステップ３０１ないし３０６において取得されたパラメータにしたがって、基地局によって第１の物理ダウンリンク制御チャネルを送信するためのＮ個の候補位置を判定する。Ｎ個の候補位置の各々は、Ｒ個のサブフレームを含む。
【０１６５】
さらに、ステップ３０８において、ＵＥがステップ３０９において、第１の候補位置において、Ｒ個のサブフレームにおいて基地局によって送信される第１の物理ダウンリンク制御チャネルを正しく受信するまで、ＵＥは、ステップ３０７において判定された各候補位置において、基地局が第１の物理ダウンリンク制御チャネルを送信するか否かを監視する。Ｎ個の候補位置は、第１の候補位置を含む。
【０１６６】
さらに、ＵＥが、第１の候補位置において、基地局によって送信される第１の物理ダウンリンク制御チャネルを受信した後で、ＵＥはさらに、基地局によって送信される第１の物理ダウンリンク制御チャネル上で運ばれるＤＣＩの具体的フォーマットを判定してもよい。ここにいうＤＣＩのフォーマットは、少なくとも２つのタイプ、つまり、第１のＤＣＩフォーマットおよび第２のＤＣＩフォーマットを含む。第１のＤＣＩフォーマットにおけるＤＣＩは、ＰＤＳＣＨをスケジューリングするために用いられるスケジューリング情報を含む。第２のＤＣＩフォーマットにおけるＤＣＩは、ＲＡＲに関する情報の一部または全部を含む。
【０１６７】
具体的には、ＵＥは、第１の物理ダウンリンク制御チャネル上で運ばれるＤＣＩにおける第１のビットに関する情報にしたがって、ＤＣＩのフォーマットを判定してもよい。
【０１６８】
代替的に、ＵＥは、ＣＲＣをスクランブリングするためのスクランブリングコードにしたがってＤＣＩのフォーマットを判定してもよい。ＣＲＣは、第１の物理ダウンリンク制御チャネル上で運ばれるＤＣＩに添付されるＣＲＣである（ＣＲＣアタッチメント）。例えば、ＣＲＣをスクランブリング（つまり、擬似ランダムシーケンスをＣＲＣに対応するビットで乗算することによりＣＲＣをスクランブリング、そこでは異なるスクランブリング態様が異なるフォーマットにおけるＤＣＩについて用いられてもよい）した後で、基地局はＣＲＣのためのスクランブリングコードを取得し、そして、ＣＲＣのためのスクランブリングコードをＤＣＩに続くビットに添付する。このようにして、第１の物理ダウンリンク制御チャネルを受信した後で、ＵＥは、第１の物理ダウンリンク制御チャネル上で運ばれるＤＣＩに続くビットにおけるＣＲＣのためのスクランブリングコードにしたがって、ＤＣＩのフォーマットを判定してもよい。
【０１６９】
代替的に、ＵＥは、第１の物理ダウンリンク制御チャネルを送信するために占有されるサブフレームの量Ｒ、第１の物理ダウンリンク制御チャネルを構成するＥＣＣＥの量または第１の物理ダウンリンク制御チャネルを構成するＥＣＣＥのインデックスのいずれか１つにしたがって、ＤＣＩのフォーマットを判定してもよい。
【０１７０】
ここで、本発明のこの実施形態において提供されるダウンリンク制御チャネル送信方法によれば、ＵＥは第１の物理ダウンリンク制御チャネルを送信するためのパラメータセットを取得し、パラメータセットにしたがって、基地局によって第１の物理ダウンリンク制御チャネルを送信するためのＮ個の候補位置を判定する。各候補位置は、Ｒ個のサブフレームを含み、同じＤＣＩがＲ個のサブフレームに含まれている。つまり、本発明のこの実施形態において提供される物理ダウンリンク制御チャネル送信方法によれば、第１の物理ダウンリンク制御チャネルは、Ｒ個のサブフレームにおいて送信されてもよい。したがって、１つのサブフレーム（１ｍｓ）において、ＵＥが複数の候補ＥＰＤＣＣＨを監視し、構成情報にしたがって候補ＥＰＤＣＣＨセットにおける各候補ＥＰＤＣＣＨを復号化することを試みる必要がある従来技術と比較して、ＵＥはＲ個のサブフレームの各々における第１の物理ダウンリンク制御チャネルを受信してもよく、その結果ＵＥによって第１の物理ダウンリンク制御チャネルを受信する信号強度は強化される。
【０１７１】
＜実施形態３＞
図８は、本発明の実施形態に係るダウンリンク制御チャネル送信装置の概略的構造図である。本発明のこの実施形態において提供されるダウンリンク制御チャネル送信装置は、図１ないし図７に示す本発明の実施形態において実装される方法を行うように構成されていてもよい。説明の容易さのために、本発明のこの実施形態に関連する部分のみが示されている。開示されていない具体的な技術的詳細については、図１ないし図７に示す本発明の実施形態を参照されたい。
【０１７２】
具体的には、図８に示すように、ダウンリンク制御チャネル送信装置は、以下を含む。
第１の物理ダウンリンク制御チャネルを送信するためのパラメータセットを取得するように構成された、第１の取得部０１、第１の物理ダウンリンク制御チャネルは少なくともＲ個のサブフレームにおいて同じダウンリンク制御情報ＤＣＩを送信するために用いられ、Ｒは１より大きいまたはこれに等しい整数である。
パラメータセットにしたがって、基地局によって第１の物理ダウンリンク制御チャネルを送信するためのＮ個の候補位置を判定するように構成された、第１の判定部０２、候補位置はＲ個のサブフレームを含み、Ｎは１より大きいまたはこれに等しい整数である。
Ｎ個の候補位置において、基地局が第１の物理ダウンリンク制御チャネルを送信するか否かを監視するように構成された監視部０３。
第１の候補位置において、基地局によって送信される第１の物理ダウンリンク制御チャネルを受信するように構成された、受信部０４、Ｎ個の候補位置は第１の候補位置を含む。
【０１７３】
パラメータセットは、第１の物理ダウンリンク制御チャネルを送信するために占有されるＲ個のサブフレームを示す情報、および、Ｒ個のサブフレームの各々における以下のパラメータ：第１の物理ダウンリンク制御チャネルを構成する拡張制御チャネルエレメントＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプを含む。
【０１７４】
さらに、第１の取得部０１は特に、各候補位置における、Ｒ個のサブフレームの位置情報またはＲ個のサブフレームの開始サブフレームの位置情報を取得するように構成されている。
【０１７５】
複数の候補位置が同じ周波数領域リソース上でＲ個のサブフレームについて設定され、第１のオフセットはＭ番目の候補位置と（Ｍ−１）番目の候補位置との間に存在し、Ｍは１より大きい整数である。
【０１７６】
第１の判定部０２はさらに第１の物理ダウンリンク制御チャネル上で運ばれるＤＣＩのフォーマットを判定するように構成されている。
【０１７７】
第１の取得部０１は特にＤＣＩのフォーマットにしたがってＲ個のサブフレームの位置情報またはＲ個のサブフレームの開始サブフレームの位置情報を取得するように構成されている。
【０１７８】
さらに、第１の取得部０１は特に、第１の物理ダウンリンク制御チャネルを送信するための送信セットを取得するように構成されている。送信セットは、第１の物理ダウンリンク制御チャネルを送信するために占有されるＰＲＢの量、ＤＣＩのフォーマット、サイクリックプレフィックスＣＰのタイプまたはフレーム構造タイプの１つまたは複数を含む。フレーム構造タイプは、第１のフレーム構造タイプまたは第２のフレーム構造タイプを含む。
【０１７９】
第１の判定部０２はさらに、送信セットにしたがって、第１の物理ダウンリンク制御チャネルを構成するＥＣＣＥの量を判定するように構成されている。
【０１８０】
さらに、第１の判定部０２は特に、送信セットにしたがって、Ｒ個のサブフレームの第１のサブフレームにおける第１の物理ダウンリンク制御チャネルを構成するＥＣＣＥの量を判定し、第１のサブフレームはＲ個のサブフレームのいずれか１つであり、第１の予め設定されたルールおよび第１のサブフレームにおける第１の物理ダウンリンク制御チャネルを構成するＥＣＣＥの量にしたがって、Ｒ個のサブフレームの第１のサブフレームを除くＲ−１個の他のサブフレームの各々における第１の物理ダウンリンク制御チャネルを構成するＥＣＣＥの量を判定するように構成されている。
【０１８１】
第１の判定部０２はさらに、第１のサブフレームにおける第１の物理ダウンリンク制御チャネルを構成するＥＣＣＥの量にしたがって、Ｒ個のサブフレームの第１のサブフレームにおけるＥＣＣＥのインデックス、第１のサブフレームにおける第１の物理ダウンリンク制御チャネルを送信するための候補位置の量および第１のサブフレームに含まれるＥＣＣＥの量を判定し、Ｒ個のサブフレームの第１のサブフレームを除くＲ−１個の他のサブフレームの各々におけるＥＣＣＥのインデックスを、第２の予め設定されたルールおよび第１のサブフレームにおけるＥＣＣＥのインデックスにしたがって判定するように構成されている。
【０１８２】
第１の判定部０２はさらに、第１の物理ダウンリンク制御チャネルが２つのＥＰＤＣＣＨ構成セットに含まれる物理リソースブロックＰＲＢにマッピングされるとき、２つのＥＰＤＣＣＨ構成セットにおけるものでありそれぞれスクランブリングコードシーケンスを判定するために用いられるパラメータにしたがって第１のパラメータを判定するように構成されている。
【０１８３】
第１の判定部０２はさらに、第１の物理ダウンリンク制御チャネルが２つのＥＰＤＣＣＨ構成セットに含まれる物理リソースブロックＰＲＢにマッピングされるとき、２つのＥＰＤＣＣＨ構成セットにおけるものでありそれぞれ復調参照信号を判定するために用いられるパラメータにしたがって、第２のパラメータを判定するように構成されている。
【０１８４】
第１の判定部０２はさらに、第１の物理ダウンリンク制御チャネル上で運ばれるＤＣＩがセル固有メッセージをスケジューリングするために用いられ、ノーマルサイクリックプレフィックスがＬＴＥシステムにおいて構成されている場合、関連付けられたアンテナポート番号が｛１０７，１０８，１０９，１１０｝における数であると判定し、第１の物理ダウンリンク制御チャネル上で運ばれるＤＣＩがセル固有メッセージをスケジューリングするために用いられ、拡張サイクリックプレフィックスがＬＴＥシステムにおいて構成されている場合、関連付けられたアンテナポート番号が｛１０７，１０８｝における数であると判定し、第１の物理ダウンリンク制御チャネル上で運ばれるＤＣＩがＵＥ固有メッセージをスケジューリングするために用いられ、ノーマルサイクリックプレフィックスがＬＴＥシステムにおいて構成されている場合、Ｒ個のサブフレームがノーマルサブフレームおよび第１のタイプのスペシャルサブフレームを含むとき、関連付けられたアンテナポート番号がＮ｛１０７，１０９｝における数であると判定し、第１の物理ダウンリンク制御チャネル上で運ばれるＤＣＩがＵＥ固有メッセージをスケジューリングするために用いられ、ノーマルサイクリックプレフィックスがＬＴＥシステムにおいて構成されている場合、Ｒ個のサブフレームが第１のタイプのスペシャルサブフレームを含まないとき、関連付けられたアンテナポート番号が｛１０７，１０８，１０９，１１０｝における数であると判定し、または、第１の物理ダウンリンク制御チャネル上で運ばれるＤＣＩがＵＥ固有メッセージをスケジューリングするために用いられ、拡張サイクリックプレフィックスがＬＴＥシステムにおいて構成されている場合、関連付けられたアンテナポート番号が｛１０７，１０９｝における数であると判定するように構成されている。
【０１８５】
受信部０３はさらに基地局によって送信される構成情報を受信するように構成されている。
【０１８６】
構成情報は、第１の物理ダウンリンク制御チャネルを送信するために占有されるＲ個のサブフレームを示す情報を含む。代替的に、構成情報は、第１の物理ダウンリンク制御チャネルを送信するために占有されるＲ個のサブフレームを示す情報およびＲ個のサブフレームの少なくとも１つにおける以下のパラメータ：第１の物理ダウンリンク制御チャネルを構成するＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、関連付けられたアンテナポート番号または第１の物理ダウンリンク制御チャネルの送信タイプの少なくとも１つを含む。
【０１８７】
第１の判定部０２はさらに、第１の物理ダウンリンク制御チャネル上で運ばれるＤＣＩにおける第１のビットに関する情報にしたがってＤＣＩのフォーマットを判定し、またはＣＲＣをスクランブリングするためのスクランブリングコードにしたがってＤＣＩのフォーマットを判定し、ＣＲＣは第１の物理ダウンリンク制御チャネル上で運ばれるＤＣＩに添付されるＣＲＣであり、または第１の物理ダウンリンク制御チャネルを送信するために占有されるサブフレームの量Ｒ、第１の物理ダウンリンク制御チャネルを構成するＥＣＣＥの量または第１の物理ダウンリンク制御チャネルを構成するＥＣＣＥのインデックスの少なくとも１つにしたがってＤＣＩのフォーマットを判定するように構成されている。
【０１８８】
ＤＣＩのフォーマットは、第１のＤＣＩフォーマットおよび第２のＤＣＩフォーマットを含み、第１のＤＣＩフォーマットにおけるＤＣＩは物理ダウンリンク共有チャネルＰＤＳＣＨをスケジューリングするために用いられるスケジューリング情報を含み、第２のＤＣＩフォーマットにおけるＤＣＩは、ランダムアクセス応答ＲＡＲに関する情報の一部または全部を含む。
【０１８９】
図９は、本発明の実施形態に係る別のダウンリンク制御チャネル送信装置の概略的構造図である。本発明のこの実施形態において提供されるダウンリンク制御チャネル送信装置は、図１ないし図７に示す本発明の実施形態において実装される方法を行うように構成されていてもよい。説明の容易さのために、本発明のこの実施形態に関連する部分のみが示されている。開示されていない具体的な技術的詳細については、図１ないし図７に示す本発明の実施形態を参照されたい。
【０１９０】
具体的には、図９に示すように、ダウンリンク制御チャネル送信装置は、以下を含む。
第１の物理ダウンリンク制御チャネルを送信するためのパラメータセットを取得するように構成された、第２の取得部１１、第１の物理ダウンリンク制御チャネルは少なくともＲ個のサブフレームにおいて同じダウンリンク制御情報ＤＣＩを送信するために用いられ、Ｒは１より大きいまたはこれに等しい整数である。
パラメータセットにしたがって、第１の物理ダウンリンク制御チャネルをＵＥに送信するためのＮ個の候補位置を判定し、候補位置はＲ個のサブフレームを含み、Ｎは１より大きいまたはこれに等しい整数であり、および、Ｎ個の候補位置における第１の候補位置を第１の物理ダウンリンク制御チャネルをＵＥに送信するための位置として判定するように構成された、第２の判定部１２。
第１の物理ダウンリンク制御チャネルをＵＥに第１の候補位置において送信するように構成された送信ユニット１３。
【０１９１】
パラメータセットは、第１の物理ダウンリンク制御チャネルを送信するために占有されるＲ個のサブフレームを示す情報、および、Ｒ個のサブフレームの各々における以下のパラメータ：第１の物理ダウンリンク制御チャネルを構成する拡張制御チャネルエレメントＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプを含む。
【０１９２】
送信ユニット１３はさらに構成情報をＵＥに送信するように構成されている。
【０１９３】
構成情報は、第１の物理ダウンリンク制御チャネルを送信するために占有されるＲ個のサブフレームを示す情報を含む。代替的に、構成情報は、第１の物理ダウンリンク制御チャネルを送信するために占有されるＲ個のサブフレームを示す情報、および、Ｒ個のサブフレームの少なくとも１つにおける以下のパラメータ：第１の物理ダウンリンク制御チャネルを構成するＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号または第１の物理ダウンリンク制御チャネルの送信タイプの少なくとも１つを含む。
【０１９４】
ここで、本発明のこの実施形態において提供されるダウンリンク制御チャネル送信装置によれば、ＵＥは第１の物理ダウンリンク制御チャネルを送信するためのパラメータセットを取得し、パラメータセットにしたがって、基地局によって第１の物理ダウンリンク制御チャネルを送信するためのＮ個の候補位置を判定する。各候補位置は、Ｒ個のサブフレームを含み、同じＤＣＩがＲ個のサブフレームに含まれている。つまり、本発明のこの実施形態において提供される物理ダウンリンク制御チャネル送信装置によれば、第１の物理ダウンリンク制御チャネルは、Ｒ個のサブフレームにおいて送信されてもよい。したがって、１つのサブフレーム（１ｍｓ）において、ＵＥが複数の候補ＥＰＤＣＣＨを監視し、構成情報にしたがって候補ＥＰＤＣＣＨセットにおける各候補ＥＰＤＣＣＨを復号化することを試みる必要がある従来技術と比較して、ＵＥはＲ個のサブフレームの各々における第１の物理ダウンリンク制御チャネルを受信してもよく、その結果ＵＥによって第１の物理ダウンリンク制御チャネルを受信する信号強度が強化される。
【０１９５】
＜実施形態４＞
図１０は、本発明の実施形態に係る別のダウンリンク制御チャネル送信装置の概略的構造図である。本発明のこの実施形態において提供されるダウンリンク制御チャネル送信装置は、図１ないし図７に示す本発明の実施形態において実装される方法を行うように構成されていてもよい。説明の容易さのために、本発明のこの実施形態に関連する部分のみが示されている。開示されていない具体的な技術的詳細については、図１ないし図７に示す本発明の実施形態を参照されたい。
【０１９６】
ダウンリンク制御チャネル送信装置は特に携帯電話、インテリジェント端末、マルチメディアデバイスまたはストリーミングメディアデバイスのようなユーザ端末ＵＥであってもよい。
【０１９７】
例えば、ＵＥは、第１のプロセッサ２１、第１の送受信機２２およびバス２３を含む。第１のプロセッサ２１および第１の送受信機２２は、バス２３を用いることにより接続され通信を行ってもよい。
【０１９８】
具体的には、本発明のこの実施形態において提供されるＵＥにおいては、第１のプロセッサ２１は、第１の物理ダウンリンク制御チャネルを送信するためのパラメータセットを取得し、第１の物理ダウンリンク制御チャネルは少なくともＲ個のサブフレームにおいて同じダウンリンク制御情報ＤＣＩを送信するために用いられ、Ｒは１より大きいまたはこれに等しい整数であり、パラメータセットにしたがって、基地局によって第１の物理ダウンリンク制御チャネルを送信するためのＮ個の候補位置を判定するように構成され、候補位置はＲ個のサブフレームを含み、Ｎは１より大きいまたはこれに等しい整数である。加えて、第１のプロセッサ２１は、Ｎ個の候補位置において、第１の送受信機２２を用いることにより、基地局が第１の物理ダウンリンク制御チャネルを送信するか否かを監視する。第１の送受信機２２はさらに、第１の候補位置において、基地局によって送信される第１の物理ダウンリンク制御チャネルを受信するように構成され、Ｎ個の候補位置は第１の候補位置を含む。
【０１９９】
パラメータセットは、第１の物理ダウンリンク制御チャネルを送信するために占有されるＲ個のサブフレームを示す情報およびＲ個のサブフレームの各々における以下のパラメータ：第１の物理ダウンリンク制御チャネルを構成する拡張制御チャネルエレメントＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプを含む。
【０２００】
さらに、第１のプロセッサ２１によって取得されるＲ個のサブフレームに関する情報は特に、Ｒ個のサブフレームの位置情報またはＲ個のサブフレームの開始サブフレームの位置情報であってもよい。
【０２０１】
さらに、複数の候補位置が、同じ周波数領域リソース上のＲ個のサブフレームについて設定される。この場合、第１のプロセッサ２１が第１の物理ダウンリンク制御チャネルを送信するために占有されるＲ個のサブフレームに関する情報を取得するということは特に以下のステップを含んでもよい。第１のプロセッサ２１は、基地局から第１の送受信機２２を用いることにより、各候補位置における、Ｒ個のサブフレームの位置情報またはＲ個のサブフレームの開始サブフレームの位置情報を取得してもよい。第１のオフセットは、Ｍ番目の候補位置と（Ｍ−１）番目の候補位置との間に存在し、Ｍは１より大きい整数である。
【０２０２】
代替的に、第１のプロセッサ２１が第１の物理ダウンリンク制御チャネルを送信するために占有されるＲ個のサブフレームに関する情報を取得するということは特に以下のステップを含んでもよい。第１のプロセッサ２１が、第１の物理ダウンリンク制御チャネル上で運ばれるＤＣＩのフォーマットを判定し、第１のプロセッサ２１が、ＤＣＩのフォーマットにしたがってＲ個のサブフレームの位置情報またはＲ個のサブフレームの開始サブフレームの位置情報を取得する。
【０２０３】
第１のプロセッサ２１によって取得されるパラメータセットはさらに、第１の物理ダウンリンク制御チャネルを送信するために占有されるＰ個のサブフレームを示す情報を含んでもよい。Ｐ個のサブフレームの開始サブフレームの位置は、Ｒ個のサブフレームの開始サブフレームの位置と同じであり、Ｐ個のサブフレームにおける第１の物理ダウンリンク制御チャネル上で送信されるＤＣＩは、Ｒ個のサブフレームにおいて送信されるＤＣＩと同じであり、Ｐは１より大きいまたはこれに等しい整数であり、ＰはＲと等しくない。
【０２０４】
さらに、第１のプロセッサ２１がＲ個のサブフレームの各々における第１の物理ダウンリンク制御チャネルを構成するＥＣＣＥの量を取得するということは特に以下のステップを含んでもよい。第１のプロセッサ２１は、第１の物理ダウンリンク制御チャネルを送信するための送信セットを取得し、送信セットは、第１の物理ダウンリンク制御チャネルを送信するために占有されるＰＲＢの量、ＤＣＩのフォーマット、サイクリックプレフィックスＣＰのタイプまたはフレーム構造タイプの１つまたは複数を含み、フレーム構造タイプは第１のフレーム構造タイプまたは第２のフレーム構造タイプを含み、第１のプロセッサ２１は、送信セットにしたがって、第１の物理ダウンリンク制御チャネルを構成するＥＣＣＥの量を判定する。
【０２０５】
第１のプロセッサ２１が、送信セットにしたがって、第１の物理ダウンリンク制御チャネルを構成するＥＣＣＥの量を判定するということは特に、以下のステップを含む。第１のプロセッサ２１は、送信セットにしたがって、Ｒ個のサブフレームの第１のサブフレームにおける第１の物理ダウンリンク制御チャネルを構成するＥＣＣＥの量を判定し、第１のサブフレームはＲ個のサブフレームのいずれか１つであり、第１のプロセッサ２１は、第１の予め設定されたルールおよび第１のサブフレームにおける第１の物理ダウンリンク制御チャネルを構成するＥＣＣＥの量にしたがって、Ｒ個のサブフレームの第１のサブフレームを除くＲ−１個の他のサブフレームの各々における第１の物理ダウンリンク制御チャネルを構成するＥＣＣＥの量を判定する。
【０２０６】
代替的に、第１のプロセッサ２１はさらに、第１の送受信機２２を用いることにより、Ｒ個のサブフレームの第１のサブフレームにおける第１の物理ダウンリンク制御チャネルを構成するＥＣＣＥのものであって基地局によって送信される量を受信してもよく、第１のサブフレームはＲ個のサブフレームのいずれか１つであり、第１のプロセッサ２１は、第１の予め設定されたルールおよび第１のサブフレームにおける第１の物理ダウンリンク制御チャネルを構成するＥＣＣＥの量にしたがって、Ｒ個のサブフレームの第１のサブフレームを除くＲ−１個の他のサブフレームの各々における第１の物理ダウンリンク制御チャネルを構成するＥＣＣＥの量を判定する。
【０２０７】
例えば、第１のサブフレームは、Ｒ個のサブフレームの開始サブフレームに設定されてもよい。Ｒ個のサブフレームの第２のサブフレームからＲ番目のサブフレームまでの各サブフレームにおける第１の物理ダウンリンク制御チャネルを構成するＥＣＣＥの量については、開始サブフレームにおける第１の物理ダウンリンク制御チャネルを構成するＥＣＣＥの量を参照されたい。例えば、第２のサブフレームからＲ番目のサブフレームまでの各サブフレームにおける第１の物理ダウンリンク制御チャネルを構成するＥＣＣＥの量は、開始サブフレームにおける第１の物理ダウンリンク制御チャネルを構成するＥＣＣＥの量と同じである。
【０２０８】
特に、第１のサブフレームにおける第１の物理ダウンリンク制御チャネルを構成するＥＣＣＥの量が１６または２４であり、Ｒ−１個の他のサブフレームが第１のタイプのスペシャルサブフレームを含む場合、第１のタイプのスペシャルサブフレームにおける第１の物理ダウンリンク制御チャネルを構成するＥＣＣＥの量は１２または１２未満である。
【０２０９】
代替的に、第１のサブフレームが第１のタイプのスペシャルサブフレームであり、第１のサブフレームにおける第１の物理ダウンリンク制御チャネルを構成するＥＣＣＥの量が１２であり、Ｒ−１個の他のサブフレームがノーマルサブフレームを含む場合、ノーマルサブフレームにおける第１の物理ダウンリンク制御チャネルを構成するＥＣＣＥの量は１２、２４または１６である。
【０２１０】
第１のタイプのスペシャルサブフレームは、第２のフレーム構造タイプにおけるスペシャルサブフレームの構成が１、２、６、７または９であるときの対応するスペシャルサブフレームである。
【０２１１】
さらに、第１のプロセッサ２１がＲ個のサブフレームの各々における第１の物理ダウンリンク制御チャネルを構成するＥＣＣＥのインデックスを取得するということは特に、以下のステップを含んでもよい。第１のプロセッサ２１が、第１のサブフレームにおける第１の物理ダウンリンク制御チャネルを構成するＥＣＣＥの量、第１のサブフレームにおける第１の物理ダウンリンク制御チャネルを送信するための候補位置の量および第１のサブフレームに含まれるＥＣＣＥの量にしたがって、Ｒ個のサブフレームの第１のサブフレームにおけるＥＣＣＥのインデックスを判定し、第１のプロセッサ２１が、第２の予め設定されたルールおよび第１のサブフレームにおけるＥＣＣＥのインデックスにしたがって、Ｒ個のサブフレームの第１のサブフレームを除くＲ−１個の他のサブフレームの各々におけるＥＣＣＥのインデックスを判定する。
【０２１２】
代替的に、第１のプロセッサ２１はさらに、第１の送受信機２２を用いることにより、Ｒ個のサブフレームの第１のサブフレームにおける第１の物理ダウンリンク制御チャネルを構成するＥＣＣＥのものであって基地局によって送信されるインデックスを受信してもよく、第１のプロセッサ２１は、第２の予め設定されたルールおよび第１のサブフレームにおける第１の物理ダウンリンク制御チャネルを構成するＥＣＣＥのインデックスにしたがって、Ｒ個のサブフレームの第１のサブフレームを除くＲ−１個の他のサブフレームの各々における第１の物理ダウンリンク制御チャネルを構成するＥＣＣＥのインデックスを判定する。
【０２１３】
第２の予め設定されたルールは以下のとおりであってもよい。Ｒ個のサブフレームにおけるＲ−１個の他のサブフレームの各々における第１の物理ダウンリンク制御チャネルを構成するＥＣＣＥのインデックスは、第１のサブフレームにおける第１の物理ダウンリンク制御チャネルを構成するＥＣＣＥのインデックスと同じであり、または、関数関係が、Ｒ−１個の他のサブフレームの各々における第１の物理ダウンリンク制御チャネルを構成するＥＣＣＥのインデックスと第１のサブフレームにおける第１の物理ダウンリンク制御チャネルを構成するＥＣＣＥのインデックスとの間に存在する。当業者は実際の経験にしたがって設定を行ってもよい。
【０２１４】
例えば、ＵＥはまず、Ｒ個のサブフレームの開始サブフレームにおけるＥＣＣＥのインデックスを判定してもよい。そして、第２のサブフレームからＲ番目のサブフレームまでの各サブフレームにおける第１の物理ダウンリンク制御チャネルに対応するＥＣＣＥのインデックスについて、開始サブフレームにおけるＥＣＣＥのインデックスを参照されたい。例えば、第２のサブフレームからＲ番目のサブフレームまでの各サブフレームにおける第１の物理ダウンリンク制御チャネルに対応するＥＣＣＥのインデックスは、開始サブフレームにおけるＥＣＣＥのインデックスと同じである。
【０２１５】
さらに、第１のプロセッサ２１が第１の物理ダウンリンク制御チャネル上で送信されるビットのブロックをスクランブリングするためのスクランブリングコードシーケンスを判定するために用いられる第１のパラメータを取得するとき、以下のステップが特に含まれてもよい。第１の物理ダウンリンク制御チャネルが２つのＥＰＤＣＣＨ構成セットに含まれる物理リソースブロックＰＲＢにマッピングされるとき、第１のプロセッサ２１は、２つのＥＰＤＣＣＨ構成セットにおけるものでありそれぞれスクランブリングコードシーケンスを判定するために用いられるパラメータにしたがって、第１のパラメータを判定する。
【０２１６】
さらに、第１のプロセッサ２１が第１の物理ダウンリンク制御チャネルに関連付けられた復調参照信号を判定するために用いられる第２のパラメータを取得するとき、以下のステップが特に含まれてもよい。第１の物理ダウンリンク制御チャネルが２つのＥＰＤＣＣＨ構成セットに含まれる物理リソースブロックＰＲＢにマッピングされるとき、第１のプロセッサ２１は、２つのＥＰＤＣＣＨ構成セットにおけるものでありそれぞれ復調参照信号を判定するために用いられるパラメータにしたがって第２のパラメータを判定する。
【０２１７】
さらに、第１のプロセッサ２１がＲ個のサブフレームの各々における第１の物理ダウンリンク制御チャネルに関連付けられたアンテナポート番号を取得するとき、以下のステップが特に含まれてもよい。
第１の物理ダウンリンク制御チャネル上で運ばれるＤＣＩがセル固有メッセージをスケジューリングするために用いられ、ノーマルサイクリックプレフィックスがＬＴＥシステムにおいて構成されている場合、第１のプロセッサ２１は関連付けられたアンテナポート番号が｛１０７，１０８，１０９，１１０｝における数であると判定する、
第１の物理ダウンリンク制御チャネル上で運ばれるＤＣＩがセル固有メッセージをスケジューリングするために用いられ、拡張サイクリックプレフィックスがＬＴＥシステムにおいて構成されている場合、第１のプロセッサ２１は、関連付けられたアンテナポート番号が｛１０７，１０８｝における数であると判定する、
第１の物理ダウンリンク制御チャネル上で運ばれるＤＣＩがＵＥ固有メッセージをスケジューリングするために用いられ、ノーマルサイクリックプレフィックスがＬＴＥシステムにおいて構成されている場合、Ｒ個のサブフレームがノーマルサブフレームおよび第１のタイプのスペシャルサブフレームを含むとき、第１のプロセッサ２１は関連付けられたアンテナポート番号が｛１０７，１０９｝における数であると判定する、
第１の物理ダウンリンク制御チャネル上で運ばれるＤＣＩがＵＥ固有メッセージをスケジューリングするために用いられ、ノーマルサイクリックプレフィックスがＬＴＥシステムにおいて構成されている場合、Ｒ個のサブフレームが第１のタイプのスペシャルサブフレームを含まないとき、第１のプロセッサ２１は、関連付けられたアンテナポート番号が｛１０７，１０８，１０９，１１０｝における数であると判定する、または、
第１の物理ダウンリンク制御チャネル上で運ばれるＤＣＩがＵＥ固有メッセージをスケジューリングするために用いられ、拡張サイクリックプレフィックスがＬＴＥシステムにおいて構成されている場合、第１のプロセッサ２１は関連付けられたアンテナポート番号が｛１０７，１０９｝における数であると判定する。
【０２１８】
特に、第１の物理ダウンリンク制御チャネル上で運ばれるＤＣＩがＵＥ固有メッセージをスケジューリングするために用いられ、Ｒ個のサブフレームがノーマルサブフレームおよび第１のタイプのスペシャルサブフレームを含む場合、ノーマルサイクリックプレフィックスがＬＴＥシステムにおいて構成されているとき、第１のプロセッサ２１は、第１の物理ダウンリンク制御チャネルにおいて用いられている最も小さいＥＣＣＥインデックス、第１の物理ダウンリンク制御チャネルを構成するＥＣＣＥの量および第１のタイプのスペシャルサブフレームにおけるＰＲＢペアにおいて運ばれるＥＣＣＥの量にしたがって、｛１０７，１０９｝における関連付けられたアンテナポート番号を判定する。
【０２１９】
第１の物理ダウンリンク制御チャネル上で運ばれるＤＣＩがＵＥ固有メッセージをスケジューリングするために用いられ、Ｒ個のサブフレームが第１のタイプのスペシャルサブフレームを含まない場合、ノーマルサイクリックプレフィックスがＬＴＥシステムにおいて構成されているとき、第１のプロセッサ２１は、第１の物理ダウンリンク制御チャネルにおいて用いられている最も小さいＥＣＣＥインデックス、第１の物理ダウンリンク制御チャネルによって占有されるＥＣＣＥの量およびノーマルサブフレームにおけるＰＲＢペアにおいて運ばれるＥＣＣＥの量にしたがって、｛１０７，１０８，１０９，１１０｝における関連付けられたアンテナポート番号を判定する。
【０２２０】
さらに、第１の物理ダウンリンク制御チャネルを送信するためのパラメータセットを取得するとき、第１のプロセッサ２１は、第１の送受信機２２を用いることにより、基地局によって送信される構成情報を受信してもよい。
【０２２１】
構成情報は、第１の物理ダウンリンク制御チャネルを送信するために占有されるＲ個のサブフレームを示す情報を含む。代替的に、構成情報は、第１の物理ダウンリンク制御チャネルを送信するために占有されるＲ個のサブフレームを示す情報およびＲ個のサブフレームの少なくとも１つにおける以下のパラメータ：第１の物理ダウンリンク制御チャネルを構成するＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、関連付けられたアンテナポート番号または第１の物理ダウンリンク制御チャネルの送信タイプの少なくとも１つを含む。
【０２２２】
さらに、ＤＣＩのフォーマットは、第１のＤＣＩフォーマットおよび第２のＤＣＩフォーマットを含み、第１のＤＣＩフォーマットにおけるＤＣＩは、物理ダウンリンク共有チャネルＰＤＳＣＨをスケジューリングするために用いられるスケジューリング情報を含み、第２のＤＣＩフォーマットにおけるＤＣＩは、ランダムアクセス応答ＲＡＲに関する情報の一部または全部を含む。
【０２２３】
具体的には、第１の送受信機２２が、第１の候補位置において、基地局によって送信される第１の物理ダウンリンク制御チャネルを受信した後で、以下のステップがさらに含まれてもよい。第１のプロセッサ２１は、第１の物理ダウンリンク制御チャネル上で運ばれるＤＣＩにおける第１のビットに関する情報にしたがってＤＣＩのフォーマットを判定し、または第１のプロセッサ２１は、ＣＲＣをスクランブリングするためのスクランブリングコードにしたがってＤＣＩのフォーマットを判定し、ＣＲＣは第１の物理ダウンリンク制御チャネル上で運ばれるＤＣＩに添付されるＣＲＣであり、または第１のプロセッサ２１は、第１の物理ダウンリンク制御チャネルを送信するために占有されるサブフレームの量Ｒ、第１の物理ダウンリンク制御チャネルを構成するＥＣＣＥの量または第１の物理ダウンリンク制御チャネルを構成するＥＣＣＥのインデックスの少なくとも１つにしたがってＤＣＩのフォーマットを判定する。
【０２２４】
図１１は、本発明の実施形態に係る別のダウンリンク制御チャネル送信装置の概略的構造図である。本発明のこの実施形態において提供されるダウンリンク制御チャネル送信装置は、図１ないし図７に示す本発明の実施形態において実装される方法を行うように構成されていてもよい。説明の容易さのために、本発明のこの実施形態に関連する部分のみが示されている。開示されていない具体的な技術的詳細については、図１ないし図７に示す本発明の実施形態を参照されたい。
【０２２５】
ダウンリンク制御チャネル送信装置は特に、マクロ基地局、ミクロ基地局、遠隔無線基地局またはリピータのような基地局であってもよい。
【０２２６】
例えば、基地局は第２のプロセッサ３１、第２の送受信機３２およびバス３３を含む。第２のプロセッサ３１および第２の送受信機３２は、バス３３を用いることにより接続されおよび通信を行ってもよい。
【０２２７】
具体的には、本発明のこの実施形態において提供される基地局においては、第２のプロセッサ３１は、第１の物理ダウンリンク制御チャネルを送信するためのパラメータセットを取得し、第１の物理ダウンリンク制御チャネルは少なくともＲ個のサブフレームにおいて同じダウンリンク制御情報ＤＣＩを送信するために用いられ、Ｒは１より大きいまたはこれに等しい整数であり、パラメータセットにしたがって、第１の物理ダウンリンク制御チャネルをＵＥに送信するためのＮ個の候補位置を判定し、候補位置はＲ個のサブフレームを含み、Ｎは１より大きいまたはこれに等しい整数であり、およびＮ個の候補位置における第１の候補位置を第１の物理ダウンリンク制御チャネルをＵＥに送信するための位置として判定するように構成されている。第２の送受信機３２は、第１の物理ダウンリンク制御チャネルをＵＥに第１の候補位置において送信するように構成されている。
【０２２８】
パラメータセットは、第１の物理ダウンリンク制御チャネルを送信するために占有されるＲ個のサブフレームを示す情報およびＲ個のサブフレームの各々における以下のパラメータ：第１の物理ダウンリンク制御チャネルを構成する拡張制御チャネルエレメントＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号および第１の物理ダウンリンク制御チャネルの送信タイプを含む。
【０２２９】
さらに、第２のプロセッサ３１が第１の物理ダウンリンク制御チャネルを送信するためのパラメータセットを取得した後で、第２の送受信機３２はさらに、構成情報をＵＥに送信してもよい。
【０２３０】
構成情報は、第１の物理ダウンリンク制御チャネルを送信するために占有されるＲ個のサブフレームを示す情報を含む。代替的に、構成情報は、第１の物理ダウンリンク制御チャネルを送信するために占有されるＲ個のサブフレームを示す情報およびＲ個のサブフレームの少なくとも１つにおける以下のパラメータ：第１の物理ダウンリンク制御チャネルを構成するＥＣＣＥの量、ＥＣＣＥのインデックス、第１の物理ダウンリンク制御チャネル上で送信されるビットのブロックをスクランブリングするためのスクランブリングコードシーケンスを判定するために用いられる第１のパラメータ、第１の物理ダウンリンク制御チャネルに関連付けられた復調参照信号を判定するために用いられる第２のパラメータ、第１の物理ダウンリンク制御チャネルに関連付けられたアンテナポート番号または第１の物理ダウンリンク制御チャネルの送信タイプの少なくとも１つを含む。
【０２３１】
本発明のこの実施形態において提供されるダウンリンク制御チャネル送信装置によれば、ＵＥは第１の物理ダウンリンク制御チャネルを送信するためのパラメータセットを取得し、パラメータセットにしたがって、基地局によって第１の物理ダウンリンク制御チャネルを送信するためのＮ個の候補位置を判定する。各候補位置は、Ｒ個のサブフレームを含み、同じＤＣＩがＲ個のサブフレームに含まれている。つまり、本発明のこの実施形態において提供される物理ダウンリンク制御チャネル送信方法によれば、第１の物理ダウンリンク制御チャネルは、Ｒ個のサブフレームにおいて送信されてもよい。したがって、１つのサブフレーム（１ｍｓ）において、ＵＥが複数の候補ＥＰＤＣＣＨを監視し、構成情報にしたがって候補ＥＰＤＣＣＨセットにおける各候補ＥＰＤＣＣＨを復号化することを試みる必要がある従来技術と比較して、ＵＥはＲ個のサブフレームの各々における第１の物理ダウンリンク制御チャネルを受信してもよく、その結果ＵＥによって第１の物理ダウンリンク制御チャネルを受信する信号強度は強化される。
【０２３２】
便利で簡潔な記載を目的として、前述した機能モジュールの分割は単に説明のための例として用いられていることが当業者によって明確に理解されてもよい。実際の応用においては、前述した機能は異なる機能モジュールに割り当てられて要件にしたがって実装されることができる、つまり、装置の内部構造は上述した機能のすべてまたは幾つかを実装するために異なる機能モジュールに分割される。記載されたシステム、装置およびユニットの詳細な実施プロセスについては、前述した方法実施形態における対応するプロセスを参照されたい。詳細はここでは再度説明されない。
【０２３３】
本出願において提供される幾つかの実施形態においては、開示されたシステム、装置および方法は別の態様にて実装されてもよいことが理解されるべきである。例えば、記載された装置実施形態は単に例である。例えば、モジュールまたはユニット分割は単に論理的機能分割であり実際の実装においては他の分割であってもよい。例えば、複数のユニットまたはコンポーネントは別のシステムに組み合わせまたは統合されてもよく、または、幾つかの特徴は捨象されまたは行われなくてもよい。加えて、示されたまたは議論された相互連結または直接的連結または通信接続は幾つかのインタフェースを用いることにより実装されてもよい。装置またはユニットの間の間接的結合または通信接続は、電子的、機械的、またはその他の形式において実装されてもよい。
【０２３４】
別個の部品として記載されたユニットは、物理的に別個であってもなくてもよく、ユニットとして示された部品は、物理的ユニットであってもなくてもよく、１つの位置に配置されてもよく、あるいは、複数のネットワークユニット上に分散されてもよい。ユニットのすべてまたは幾つかは、実施形態の解決策の目的を実現するために実際の要件にしたがって選択されてもよい。
【０２３５】
加えて、本発明の実施形態における機能ユニットは１つの処理ユニットに統合されてもよく、または、ユニットの各々は物理的に単独で存在してもよく、あるいは、少なくとも２つのユニットが１つのユニットに統合されてもよい。統合されたユニットはハードウェアの形式において実装されてもよく、または、ソフトウェア機能ユニットの形式において実装されてもよい。
【０２３６】
統合されたユニットがソフトウェア機能ユニットの形式において実装され独立した製品として販売または使用されているとき、統合されたユニットはコンピュータ読み取り可能な記憶媒体に格納されてもよい。かかる理解に基づいて、本発明の技術的解決策は本質的に、または従来技術に貢献する部分、または技術的解決策のすべてまたは幾つかは、ソフトウェア製品の形式において実装されてもよい。コンピュータソフトウェア製品は記憶媒体に格納され、コンピュータ装置（これはパーソナルコンピュータ、サーバまたはネットワーク装置であってもよい）またはプロセッサ（プロセッサ）に対して本発明の実施形態において記載された方法のステップのすべてまたは幾つかを行うように指示するための幾つかの命令を含む。前述した記憶媒体は、ＵＳＢフラッシュドライブ、リムーバブルハードディスク、読み取り専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスクまたは光ディスクなどの、プログラムコードを格納することができる任意の媒体を含む。
【０２３７】
前述した記載は単に本発明の具体的実装であるが、本発明の保護範囲を限定することを意図したものではない。本発明において開示された技術的範囲内で当業者によって容易に考え付かれる変形または置換は、本発明の保護範囲に該当すべきものである。したがって、本発明の保護範囲は請求項の保護範囲に従うべきものである。
【図１】
0006643457.tif 000006
【図２】
0006643457.tif 000007
【図３】
0006643457.tif 000008
【図４】
0006643457.tif 000009
【図５】
0006643457.tif 000010
【図６】
0006643457.tif 000011
【図７】
0006643457.tif 000012
【図８】
0006643457.tif 000013
【図９】
0006643457.tif 000014
【図１０】
0006643457.tif 000015
【図１１】
0006643457.tif 000016